(57)【特許請求の範囲】
【請求項１】
情報伝送方法であって、前記方法は、
端末デバイスにより、コアネットワークデバイスに非アクセス層要求メッセージを送信するステップと、
前記端末デバイスにより、前記非アクセス層要求メッセージの応答メッセージを使用して、前記コアネットワークデバイスによって送信された少なくとも1つの公衆陸上移動網（PLMN）の識別子情報および前記少なくとも1つのPLMNに対応するターゲットネットワークスライス選択支援情報を受信するステップであって、前記少なくとも1つのPLMNの前記識別子情報および前記少なくとも1つのPLMNに対応する前記ターゲットネットワークスライス選択支援情報が、第1のPLMNの識別子情報および前記第1のPLMNに対応する第1のネットワーク選択支援情報を含む、ステップと、
前記端末デバイスにより、前記第1のPLMNのアクセスネットワークデバイスによってブロードキャストされた前記第1のPLMNの前記識別子情報を取得し、前記第1のPLMNの前記識別子情報に基づいて前記第1のネットワーク選択支援情報を決定するステップと、
前記端末デバイスにより、アクセス要求を送信するステップであって、アクセス要求メッセージが前記第1のネットワーク選択支援情報を搬送する、ステップと
を含む、方法。
【請求項２】
前記少なくとも1つのPLMNが、前記端末デバイスによって現在アクセスされているPLMNおよび／または前記端末デバイスによって代替的にアクセスされるPLMNを含む、請求項1に記載の方法。
【請求項３】
前記第1のPLMNが代替的にアクセスされるPLMNである場合、前記端末デバイスにより、前記第1のPLMNの前記識別子情報を取得する前記ステップが、
前記第1のPLMNにアクセスするときに、前記端末デバイスにより、前記コアネットワークデバイスによって送信された前記第1のPLMNの前記識別子情報を取得するステップ
を含む、請求項1または2に記載の方法。
【請求項４】
前記第1のPLMNが現在アクセスされているPLMNである場合、前記端末デバイスにより、前記第1のPLMNの前記識別子情報を取得する前記ステップが、
前記端末デバイスにより、前記端末デバイスが前記第1のPLMNに以前にアクセスしたときに前記端末デバイスによって取得された前記第1のPLMNの前記識別子情報を取得するステップ
を含む、請求項1または2に記載の方法。
【請求項５】
前記方法が、
前記端末デバイスにより、前記コアネットワークデバイスによって送信された第1の指示情報を受信するステップであって、前記第1の指示情報が、前記端末デバイスに、前記少なくとも1つのPLMNの前記識別子情報および前記少なくとも1つのPLMNに対応する前記ターゲットネットワークスライス選択支援情報を格納するよう命令するために使用される、ステップ
をさらに含む、請求項1から4のいずれか一項に記載の方法。
【請求項６】
前記少なくとも1つのPLMNにおけるネットワークスライス選択支援情報が、スライスタイプ情報、前記端末デバイスが現在アクセスする必要があるコアネットワークデバイスの識別子情報、または前記端末デバイスが現在アクセスする必要があるコアネットワークデバイスのタイプ情報を含む、請求項1から5のいずれか一項に記載の方法。
【請求項７】
情報伝送方法であって、前記方法は、
コアネットワークデバイスにより、端末デバイスの更新された第1のネットワーク選択情報を取得するステップと、
前記コアネットワークデバイスにより、少なくとも1つの公衆陸上移動網（PLMN）の識別子情報、および前記少なくとも1つのPLMNにおけるネットワークスライス選択支援情報とネットワーク選択情報との対応関係を取得するステップと、
前記コアネットワークデバイスにより、前記更新された第1のネットワーク選択情報および前記対応関係に基づいて、前記少なくとも1つのPLMNに対応するターゲットネットワークスライス選択支援情報を決定するステップと、
前記コアネットワークデバイスにより、前記端末デバイスに、前記少なくとも1つのPLMNの前記識別子情報および前記少なくとも1つのPLMNに対応する前記ターゲットネットワークスライス選択支援情報を送信するステップと
を含む、方法。
【請求項８】
前記少なくとも1つのPLMNが、前記端末デバイスによって現在アクセスされているPLMNおよび／または前記端末デバイスによって代替的にアクセスされるPLMNを含む、請求項7に記載の方法。
【請求項９】
前記方法が、
前記コアネットワークデバイスにより、前記端末デバイスに第1の指示情報を送信するステップであって、前記第1の指示情報が、前記端末デバイスに、前記少なくとも1つのPLMNの前記識別子情報および前記ターゲットネットワークスライス選択支援情報を格納するよう命令するために使用される、ステップ
をさらに含む、請求項7または8に記載の方法。
【請求項１０】
前記コアネットワークデバイスがアクセスおよびモビリティ管理機能（AMF）デバイスであり、
前記コアネットワークデバイスにより、前記更新された第1のネットワーク選択情報および前記対応関係に基づいて、前記少なくとも1つのPLMNに対応するターゲットネットワークスライス選択支援情報を決定する前記ステップが、
前記AMFデバイスが前記端末デバイスによって送信された非アクセス層要求メッセージを受信すると、前記AMFデバイスにより、前記更新された第1のネットワーク選択情報および前記対応関係に基づいて、前記少なくとも1つのPLMNに対応する前記ターゲットネットワークスライス選択支援情報を決定するステップ
を含み、
前記コアネットワークデバイスにより、前記端末デバイスに、前記少なくとも1つのPLMNの前記識別子情報および前記少なくとも1つのPLMNに対応する前記ターゲットネットワークスライス選択支援情報を送信する前記ステップが、
前記AMFデバイスにより、前記非アクセス層要求メッセージの応答メッセージを使用して前記端末デバイスに、前記少なくとも1つのPLMNの前記識別子情報および前記ターゲットネットワークスライス選択支援情報を送信するステップ
を含む、請求項7から9のいずれか一項に記載の方法。
【請求項１１】
前記コアネットワークデバイスがAMFデバイスであり、
コアネットワークデバイスにより、端末デバイスの更新された第1のネットワーク選択情報を取得する前記ステップが、
前記AMFデバイスにより、加入データベースによって送信された前記端末デバイスの前記更新された第1のネットワーク選択情報を受信するステップ
を含み、
前記コアネットワークデバイスにより、少なくとも1つの公衆陸上移動網（PLMN）の識別子情報、および前記少なくとも1つのPLMNにおけるネットワークスライス選択支援情報とネットワーク選択情報との対応関係を取得する前記ステップが、
前記AMFデバイスにより、ポリシー制御機能（PCF）デバイスまたは前記加入データベースによって送信された、前記少なくとも1つのPLMNにおけるネットワークスライス選択支援情報とネットワーク選択情報との前記対応関係、および前記少なくとも1つのPLMNの前記識別子情報を受信するステップ
を含む、請求項7から10のいずれか一項に記載の方法。
【請求項１２】
前記コアネットワークデバイスがPCFデバイスであり、
コアネットワークデバイスにより、端末デバイスの更新された第1のネットワーク選択情報を取得する前記ステップが、
前記PCFデバイスにより、加入データベースによってAMFデバイスを使用して送信された前記端末デバイスの前記更新された第1のネットワーク選択情報を受信するステップ
を含み、
前記コアネットワークデバイスにより、少なくとも1つの公衆陸上移動網（PLMN）の識別子情報、および前記少なくとも1つのPLMNにおけるネットワークスライス選択支援情報とネットワーク選択情報との対応関係を取得する前記ステップが、
前記PCFデバイスにより、前記PCFデバイスが属するPLMNおよび／またはローミング契約に基づいて前記少なくとも1つのPLMNの前記識別子情報を取得するステップと、
前記PCFデバイスにより、前記PCFデバイスに格納された前記対応関係を取得するステップと
を含み、
前記コアネットワークデバイスにより、前記端末デバイスに、前記少なくとも1つのPLMNの前記識別子情報および前記少なくとも1つのPLMNに対応する前記ターゲットネットワークスライス選択支援情報を送信する前記ステップが、
前記PCFデバイスにより、前記AMFデバイスを使用して前記端末デバイスに、前記少なくとも1つのPLMNの前記識別子情報および前記少なくとも1つのPLMNに対応する前記ターゲットネットワークスライス選択支援情報を送信するステップ
を含む、請求項7から9のいずれか一項に記載の方法。
【請求項１３】
前記コアネットワークデバイスが加入データベースであり、
コアネットワークデバイスにより、端末デバイスの更新された第1のネットワーク選択情報を取得する前記ステップが、
前記加入データベースにより、前記加入データベースに格納された前記端末デバイスの前記更新された第1のネットワーク選択情報を取得するステップ
を含み、
前記コアネットワークデバイスにより、少なくとも1つの公衆陸上移動網（PLMN）の識別子情報、および前記少なくとも1つのPLMNにおけるネットワークスライス選択支援情報とネットワーク選択情報との対応関係を取得する前記ステップが、
前記加入データベースにより、PCFデバイスによって送信された前記対応関係および前記少なくとも1つのPLMNの前記識別子情報を受信するステップ
を含み、
前記コアネットワークデバイスにより、前記端末デバイスに、前記少なくとも1つのPLMNの前記識別子情報および前記少なくとも1つのPLMNに対応する前記ターゲットネットワークスライス選択支援情報を送信する前記ステップが、
前記加入データベースにより、AMFデバイスを使用して前記端末デバイスに、前記少なくとも1つのPLMNの前記識別子情報および前記少なくとも1つのPLMNに対応する前記ターゲットネットワークスライス選択支援情報を送信するステップ
を含む、請求項7から9のいずれか一項に記載の方法。
【請求項１４】
前記少なくとも1つのPLMNにおける前記ネットワークスライス選択支援情報が、スライスタイプ情報、前記端末デバイスが現在アクセスする必要があるコアネットワークデバイスの識別子情報、または前記端末デバイスが現在アクセスする必要があるコアネットワークデバイスのタイプ情報を含む、請求項7から13のいずれか一項に記載の方法。
【請求項１５】
前記少なくとも1つのPLMNにおける前記ネットワーク選択情報が、前記端末デバイスの通信機能情報または前記端末デバイスの通信能力情報を含む、請求項7から14のいずれか一項に記載の方法。
【請求項１６】
情報伝送装置であって、前記装置は、
端末デバイスの更新された第1のネットワーク選択情報を取得するように構成された取得部であって、前記取得部が、少なくとも1つの公衆陸上移動網（PLMN）の識別子情報、および前記少なくとも1つのPLMNにおけるネットワークスライス選択支援情報とネットワーク選択情報との対応関係を取得するようにさらに構成される、取得部と、
前記更新された第1のネットワーク選択情報および前記対応関係に基づいて、前記少なくとも1つのPLMNに対応するターゲットネットワークスライス選択支援情報を決定するように構成された処理部と、
前記端末デバイスに、前記少なくとも1つのPLMNの前記識別子情報および前記少なくとも1つのPLMNに対応する前記ターゲットネットワークスライス選択支援情報を送信するように構成された送受信部と
を含む、装置。
【請求項１７】
前記少なくとも1つのPLMNが、前記端末デバイスによって現在アクセスされているPLMNおよび／または前記端末デバイスによって代替的にアクセスされるPLMNを含む、請求項16に記載の装置。
【請求項１８】
前記送受信部が、
前記端末デバイスに第1の指示情報を送信し、前記第1の指示情報が、前記端末デバイスに、前記少なくとも1つのPLMNの前記識別子情報および前記ターゲットネットワークスライス選択支援情報を格納するよう命令するために使用される、
ようにさらに構成される、請求項16または17に記載の装置。
【請求項１９】
前記装置がアクセスおよびモビリティ管理機能（AMF）デバイスであり、
前記処理部が、
前記端末デバイスによって送信された非アクセス層要求メッセージを受信すると、前記更新された第1のネットワーク選択情報および前記対応関係に基づいて、前記少なくとも1つのPLMNに対応する前記ターゲットネットワークスライス選択支援情報を決定する
ように特に構成され、
前記送受信部が、
前記非アクセス層要求メッセージの応答メッセージを使用して前記端末デバイスに、前記少なくとも1つのPLMNの前記識別子情報および前記ターゲットネットワークスライス選択支援情報を送信する
ように特に構成される、請求項16から18のいずれか一項に記載の装置。
【請求項２０】
前記装置がAMFデバイスであり、
前記取得部が、
加入データベースによって送信された前記端末デバイスの前記更新された第1のネットワーク選択情報を受信し、
ポリシー制御機能（PCF）デバイスまたは前記加入データベースによって送信された、前記少なくとも1つのPLMNにおけるネットワークスライス選択支援情報とネットワーク選択情報との前記対応関係、および前記少なくとも1つのPLMNの前記識別子情報を受信する
ように特に構成される、請求項16から19のいずれか一項に記載の装置。
【請求項２１】
前記装置がPCFデバイスであり、
前記取得部が、
加入データベースによってAMFデバイスを使用して送信された前記端末デバイスの前記更新された第1のネットワーク選択情報を受信し、
前記PCFデバイスが属するPLMNおよび／またはローミング契約に基づいて前記少なくとも1つのPLMNの前記識別子情報を取得し、
前記PCFデバイスに格納された前記対応関係を取得する
ようにさらに特に構成され、
前記送受信部が、
前記AMFデバイスを使用して前記端末デバイスに、前記少なくとも1つのPLMNの前記識別子情報および前記少なくとも1つのPLMNに対応する前記ターゲットネットワークスライス選択支援情報を送信する
ようにさらに特に構成される、請求項16から18のいずれか一項に記載の装置。
【請求項２２】
前記装置が加入データベースであり、
前記取得部が、
前記装置に格納された前記端末デバイスの前記更新された第1のネットワーク選択情報を取得し、
PCFデバイスによって送信された前記対応関係および前記少なくとも1つのPLMNの前記識別子情報を受信する
ようにさらに特に構成され、
前記送受信部が、
AMFデバイスを使用して前記端末デバイスに、前記少なくとも1つのPLMNの前記識別子情報および前記少なくとも1つのPLMNに対応する前記ターゲットネットワークスライス選択支援情報を送信する
ようにさらに特に構成される、請求項16から18のいずれか一項に記載の装置。
【請求項２３】
前記少なくとも1つのPLMNにおける前記ネットワークスライス選択支援情報が、スライスタイプ情報、前記端末デバイスが現在アクセスする必要がある装置の識別子情報、または前記端末デバイスが現在アクセスする必要がある装置のタイプ情報を含む、請求項16から22のいずれか一項に記載の装置。
【請求項２４】
前記少なくとも1つのPLMNにおける前記ネットワーク選択情報が、前記端末デバイスの通信機能情報または前記端末デバイスの通信能力情報を含む、請求項16から23のいずれか一項に記載の装置。
【請求項２５】
情報伝送装置であって、前記装置は、
コアネットワークデバイスに非アクセス層要求メッセージを送信する、ように構成された送受信部と、
前記非アクセス層要求メッセージの応答メッセージを使用して、前記コアネットワークデバイスによって送信された少なくとも1つの公衆陸上移動網（PLMN）の識別子情報および前記少なくとも1つのPLMNに対応するターゲットネットワークスライス選択支援情報を受信し、前記少なくとも1つのPLMNの前記識別子情報および前記少なくとも1つのPLMNに対応する前記ターゲットネットワークスライス選択支援情報が、第1のPLMNの識別子情報および前記第1のPLMNに対応する第1のネットワーク選択支援情報を含む、ように構成された前記送受信部と、
前記第1のPLMNのアクセスネットワークデバイスによってブロードキャストされた前記第1のPLMNの前記識別子情報を取得するように構成された取得部と、
前記第1のPLMNの前記識別子情報に基づいて前記第1のネットワーク選択支援情報を決定するように構成された処理部と
を含み、
前記送受信部が、アクセス要求を送信し、アクセス要求メッセージが前記第1のネットワーク選択支援情報を搬送する、ようにさらに構成される、装置。
【請求項２６】
前記少なくとも1つのPLMNが、前記装置によって現在アクセスされているPLMNおよび／または前記装置によって代替的にアクセスされるPLMNを含む、請求項25に記載の装置。
【請求項２７】
前記第1のPLMNが代替的にアクセスされるPLMNである場合、前記取得部が、
前記装置が前記第1のPLMNにアクセスするときに、前記コアネットワークデバイスによって送信された前記第1のPLMNの前記識別子情報を取得する
ように特に構成される、請求項25または26に記載の装置。
【請求項２８】
前記第1のPLMNが現在アクセスされているPLMNである場合、前記取得部が、
前記装置が前記第1のPLMNに以前にアクセスしたときに前記装置によって取得された前記第1のPLMNの前記識別子情報を取得する
ようにさらに構成される、請求項25または26に記載の装置。
【請求項２９】
前記送受信部が、
前記コアネットワークデバイスによって送信された第1の指示情報を受信し、前記第1の指示情報が、前記装置に、前記少なくとも1つのPLMNの前記識別子情報および前記少なくとも1つのPLMNに対応する前記ターゲットネットワークスライス選択支援情報を格納するよう命令するために使用される、
ようにさらに構成される、請求項25から28のいずれか一項に記載の装置。
【請求項３０】
前記少なくとも1つのPLMNにおけるネットワークスライス選択支援情報が、スライスタイプ情報、前記装置が現在アクセスする必要があるコアネットワークデバイスの識別子情報、または前記装置が現在アクセスする必要があるコアネットワークデバイスのタイプ情報を含む、請求項25から29のいずれか一項に記載の装置。
【請求項３１】
前記端末デバイスであって、
送受信部と少なくとも1つのプロセッサとを含み、
前記送受信部と前記少なくとも1つのプロセッサとが相互接続され、
前記送受信部が、請求項1から6のいずれか一項に記載の方法において前記装置側で行われるメッセージの受信および送信動作を行うように構成され、
請求項1から6のいずれか一項に記載の方法において前記装置側で行われるメッセージの処理または制御動作を行うために、前記少なくとも1つのプロセッサが命令を呼び出す、端末デバイス。
【請求項３２】
前記コアネットワークデバイスであって、
送受信部と少なくとも1つのプロセッサとを含み、
前記送受信部と前記少なくとも1つのプロセッサとが相互接続され、
前記送受信部が、請求項7から15のいずれか一項に記載の方法において前記装置側で行われるメッセージの受信および送信動作を行うように構成され、
請求項7から15のいずれか一項に記載の方法において前記装置で行われるメッセージの処理または制御動作を行うために、前記少なくとも1つのプロセッサが命令を呼び出す、コアネットワークデバイス。
【請求項３３】
命令を含むコンピュータ可読記憶媒体であって、前記命令がコンピュータ上で実行されると、前記コンピュータに請求項1から6のいずれか一項に記載の方法を行わせる、コンピュータ可読記憶媒体。
【請求項３４】
命令を含むコンピュータ可読記憶媒体であって、前記命令がコンピュータ上で実行されると、前記コンピュータに請求項7から15のいずれか一項に記載の方法を行わせる、コンピュータ可読記憶媒体。
【発明の詳細な説明】
【技術分野】
【０００１】
本出願は、参照によりその全体が本明細書に組み入れられる、2017年7月31日付で中国特許庁に出願された、「INFORMATION TRANSMISSION METHOD AND APPARATUS」という名称の中国特許出願第201710640374.3号の優先権を主張するものである。
【０００２】
本出願の実施形態は、通信分野に関し、より具体的には、通信分野における情報伝送方法および情報伝送装置に関する。
【背景技術】
【０００３】
移動通信ネットワークの進化に伴い、様々な端末デバイスが様々な応用分野で様々な通信機能を有する。したがって、様々な通信機能が生み出され、それらは様々なタイプの端末デバイス、例えば、マシンタイプ通信（machine type communication、MTC）端末デバイスや、車両タイプ通信（vehicle type communication、VTC）端末デバイスや、公共安全通信（public safety communication、PSC）端末デバイスに対応する。様々なタイプの端末デバイスは様々な通信要件に対応し得る。例えば、様々な端末デバイスが様々なサービスの要件に対応する場合もあり、様々な端末デバイスが様々な輻輳機構に対応する場合もある。通信ネットワーク内の端末デバイスが絶え間なく増加するのに伴い、様々な通信機能を有する端末デバイスのために様々なコアネットワークデバイスがデプロイされる場合があり、例えば、コアネットワークデバイスは、専用コアネットワーク（dedicated core network、DCN）デバイスやネットワークスライス（network slice）と呼ばれ得る。このようにして、同じ機能を有する端末デバイスに1つの専用コアネットワークデバイスがデプロイされ得るので、事業者は同じ機能を有した端末デバイスを効果的に管理および維持することができ、それによってネットワーク維持費用が削減される。実際の適用プロセスでは、端末デバイスの通信機能が変化する場合（例えば、端末デバイスの通信機能がマシンタイプ通信から車両タイプ通信に変化する場合）や、コアネットワークデバイスのネットワークデプロイメントが変化する場合（例えば、コアネットワークデバイスがマシンタイプ端末デバイスのサポートから車両タイプ端末デバイスのサポートに変化する場合）、どのようにして端末デバイスが端末デバイスに対応するネットワークに確実に正しくアクセスできるようにするかが解決されるべき喫緊の問題である。
【発明の概要】
【課題を解決するための手段】
【０００４】
本出願の実施形態は、端末デバイスがネットワークに正しくアクセスすることができるようになる、情報伝送方法および情報伝送装置を提供する。
【０００５】
第1の態様によれば、情報伝送方法が提供され、本方法は、コアネットワークデバイスにより、端末デバイスの更新された第1のネットワーク選択情報を取得するステップと、コアネットワークデバイスにより、少なくとも1つの公衆陸上移動網PLMNの識別子情報、および少なくとも1つのPLMNにおけるネットワークスライス選択支援情報とネットワーク選択情報との対応関係を取得するステップであって、少なくとも1つのPLMNにおけるネットワーク選択情報が更新された第1のネットワーク選択情報を含む、ステップと、コアネットワークデバイスにより、更新された第1のネットワーク選択情報および対応関係に基づいて、少なくとも1つのPLMNに対応するターゲットネットワークスライス選択支援情報を決定するステップと、コアネットワークデバイスにより、端末デバイスに、少なくとも1つのPLMNの識別子情報および少なくとも1つのPLMNに対応するターゲットネットワークスライス選択支援情報を送信するステップとを含む。
【０００６】
したがって、本出願の実施形態で提供される情報伝送方法によれば、コアネットワークデバイスは、端末デバイスに、更新された第1のネットワーク選択情報および対応関係に基づいて決定された少なくとも1つのPLMNの識別子情報および少なくとも1つのPLMNに対応するターゲットネットワーク支援情報を送信する。このようにして、端末デバイスは、少なくとも1つのPLMNに対応するターゲットネットワーク支援情報を更新または格納し得る。端末デバイスが少なくとも1つのPLMNのいずれかに移動するときに、たとえ端末デバイスのタイプが変化するか、または端末デバイスによってアクセスされるネットワークが変更されたとしても、対応するネットワークスライス選択支援情報を見つけることができる。したがって、端末デバイスが確実にネットワークに正しくアクセスできるようになる。
【０００７】
いくつかの実施態様では、少なくとも1つのPLMNは、端末デバイスによって現在アクセスされているPLMNおよび／または端末デバイスによって代替的にアクセスされるPLMNを含む。端末デバイスによって代替的にアクセスされるPLMNは、端末デバイスによって後でアクセスされ得るPLMN、例えば、ローミングエリアでアクセスされ得るPLMNであり得る。
【０００８】
任意選択で、コアネットワークデバイスにより、少なくとも1つの公衆陸上移動網PLMNの識別子情報を取得するステップは、コアネットワークデバイスにより、端末デバイスによって現在アクセスされているPLMNの識別子情報に基づいて少なくとも1つのPLMN中の代替的にアクセスされるPLMNの識別子情報を決定するステップを含む。言い換えると、現在アクセスされているPLMNと代替的にアクセスされるPLMNとの間にはマッピング関係があり得る。
【０００９】
任意選択で、1つのPLMNが1つのターゲットネットワークスライス選択支援情報に対応していてもよく、または複数のPLMNが1つのターゲットネットワークスライス選択支援情報に対応していてもよく、または複数のPLMNが複数のターゲットネットワークスライス選択支援情報に対応していてもよい。これについては本出願の実施形態では限定されない。
【００１０】
いくつかの実施態様では、コアネットワークデバイスは、端末デバイスに第1の指示情報を送信し、第1の指示情報は、端末デバイスに、少なくとも1つのPLMNの識別子情報とターゲットネットワークスライス選択支援情報とを格納するよう命令するために使用される。
【００１１】
いくつかの実施態様では、コアネットワークデバイスはアクセスおよびモビリティ管理機能AMFデバイスであり、コアネットワークデバイスにより、更新された第1のネットワーク選択情報および対応関係に基づいて、少なくとも1つのPLMNに対応するターゲットネットワークスライス選択支援情報を決定するステップは、AMFデバイスが端末デバイスによって送信された非アクセス層要求メッセージを受信すると、AMFデバイスにより、更新された第1のネットワーク選択情報および対応関係に基づいて、少なくとも1つのPLMNに対応するターゲットネットワークスライス選択支援情報を決定するステップを含み、コアネットワークデバイスにより、端末デバイスに、少なくとも1つのPLMNの識別子情報および少なくとも1つのPLMNに対応するターゲットネットワークスライス選択支援情報を送信するステップは、AMFデバイスにより、非アクセス層要求メッセージの応答メッセージを使用して端末デバイスに、少なくとも1つのPLMNの識別子情報およびターゲットネットワークスライス選択支援情報を送信するステップを含む。
【００１２】
いくつかの実施態様では、非アクセス層要求メッセージの応答メッセージは、第1の指示情報を含む。
【００１３】
いくつかの実施態様では、コアネットワークデバイスはアクセスおよびモビリティ管理機能AMFデバイスであり、コアネットワークデバイスにより、端末デバイスに、少なくとも1つのPLMNの識別子情報および少なくとも1つのPLMNに対応するターゲットネットワークスライス選択支援情報を送信するステップは、AMFデバイスにより、非アクセス層NASメッセージを使用して端末デバイスに、少なくとも1つのPLMNの識別子情報および少なくとも1つのPLMNに対応するターゲットネットワークスライス選択支援情報を送信するステップを含む。
【００１４】
任意選択で、非アクセス層メッセージは、一時的な再配識別子情報であり得る。
【００１５】
いくつかの実施態様では、コアネットワークデバイスはAMFデバイスであり、コアネットワークデバイスにより、端末デバイスの更新された第1のネットワーク選択情報を取得するステップは、AMFデバイスにより、加入データベースによって送信された端末デバイスの更新された第1のネットワーク選択情報を受信するステップを含み、コアネットワークデバイスにより、少なくとも1つの公衆陸上移動網PLMNの識別子情報、および少なくとも1つのPLMNにおけるネットワークスライス選択支援情報とネットワーク選択情報との対応関係を取得するステップは、AMFデバイスにより、ポリシー制御機能PCFデバイスまたは加入データベースによって送信された、少なくとも1つのPLMNにおけるネットワークスライス選択支援情報とネットワーク選択情報との対応関係、および少なくとも1つのPLMNの識別子情報を受信するステップを含む。
【００１６】
任意選択で、PCFデバイスがAMFデバイスにネットワークポリシーを周期的に送信するか、またはAMFデバイスがPCFデバイスに要求メッセージを送信し、要求メッセージを使用してネットワークポリシーを要求してもよい。具体的には、ネットワークポリシーはローミング契約を含む。ローミング契約は、複数の事業者間で締結された協力協定である。この協力協定は、ローカルネットワークの端末デバイスが提携事業者のネットワークをローミングすることを可能にするので、ローカルネットワークの端末デバイスは提携事業者からサービスを得る。ローミング契約は、少なくとも1つのPLMN中のPLMNとそのPLMNによってサポートされるサービスとの対応関係を指定し得る。任意選択で、ローミング契約は、複数のPLMNの識別子情報、および複数のPLMNによってサポートされるサービスタイプまたはスライスタイプを含み得る。
【００１７】
任意選択で、AMFデバイスにより、少なくとも1つのPLMNに対応するターゲットネットワークスライス選択支援情報を決定するステップは、AMFデバイスにより、加入データベースによって送信されたPLMNに対応するターゲットネットワークスライス選択支援情報を受信するステップと、そのPLMNに対応するターゲットネットワークスライス選択支援情報および第2のマッピング関係に基づいて、少なくとも1つのPLMNに対応するターゲットネットワークスライス選択支援情報を決定するステップであって、第2のマッピング関係が、PLMNに対応するターゲットネットワークスライス選択支援情報と少なくとも1つのPLMNに対応するターゲットネットワークスライス選択支援情報とのマッピング関係を指示するために使用される、ステップを含む。
【００１８】
いくつかの実施態様では、コアネットワークデバイスはPCFデバイスであり、コアネットワークデバイスにより、端末デバイスの更新された第1のネットワーク選択情報を取得するステップは、PCFデバイスにより、加入データベースによってAMFデバイスを使用して送信された端末デバイスの更新された第1のネットワーク選択情報を受信するステップを含み、コアネットワークデバイスにより、少なくとも1つの公衆陸上移動網PLMNの識別子情報、および少なくとも1つのPLMNにおけるネットワークスライス選択支援情報とネットワーク選択情報との対応関係を取得するステップは、PCFデバイスにより、PCFデバイスが属するPLMNおよび／またはローミング契約に基づいて少なくとも1つのPLMNの識別子情報を取得するステップと、PCFデバイスにより、PCFデバイスに格納された対応関係を取得するステップとを含み、コアネットワークデバイスにより、端末デバイスに、少なくとも1つのPLMNの識別子情報および少なくとも1つのPLMNに対応するターゲットネットワークスライス選択支援情報を送信するステップは、PCFデバイスにより、AMFデバイスを使用して端末デバイスに、少なくとも1つのPLMNの識別子情報および少なくとも1つのPLMNに対応するターゲットネットワークスライス選択支援情報を送信するステップを含む。
【００１９】
いくつかの実施態様では、コアネットワークデバイスは加入データベースであり、コアネットワークデバイスにより、端末デバイスの更新された第1のネットワーク選択情報を取得するステップは、加入データベースにより、加入データベースに格納された端末デバイスの更新された第1のネットワーク選択情報を取得するステップを含み、コアネットワークデバイスにより、少なくとも1つの公衆陸上移動網PLMNの識別子情報、および少なくとも1つのPLMNにおけるネットワークスライス選択支援情報とネットワーク選択情報との対応関係を取得するステップは、加入データベースにより、PCFデバイスによって送信された対応関係および少なくとも1つのPLMNの識別子情報を受信するステップを含み、コアネットワークデバイスにより、端末デバイスに、少なくとも1つのPLMNの識別子情報および少なくとも1つのPLMNに対応するターゲットネットワークスライス選択支援情報を送信するステップは、加入データベースにより、AMFデバイスを使用して端末デバイスに、少なくとも1つのPLMNの識別子情報および少なくとも1つのPLMNに対応するターゲットネットワークスライス選択支援情報を送信するステップを含む。
【００２０】
いくつかの実施態様では、少なくとも1つのPLMNにおけるネットワークスライス選択支援情報は、スライスタイプ情報、端末デバイスが現在アクセスする必要があるコアネットワークデバイスの識別子情報、または端末デバイスが現在アクセスする必要があるコアネットワークデバイスのタイプ情報を含む。
【００２１】
いくつかの実施態様では、少なくとも1つのPLMNにおけるネットワーク選択情報は、端末デバイスの通信機能情報または端末デバイスの通信能力情報を含む。
【００２２】
第2の態様によれば、情報伝送方法が提供され、本方法は、端末デバイスにより、コアネットワークデバイスによって送信された少なくとも1つの公衆陸上移動網PLMNの識別子情報および少なくとも1つのPLMNに対応するターゲットネットワークスライス選択支援情報を受信するステップであって、少なくとも1つの公衆陸上移動網PLMNの識別子情報および少なくとも1つのPLMNに対応するターゲットネットワークスライス選択支援情報が、第1のPLMNの識別子情報および第1のPLMNに対応する第1のネットワーク選択支援情報を含む、ステップと、端末デバイスにより、第1のPLMNの識別子情報を取得し、第1のPLMNの識別子情報に基づいて第1のネットワーク選択支援情報を決定するステップと、端末デバイスにより、アクセス要求を開始するステップであって、アクセス要求メッセージが第1のネットワーク選択支援情報を搬送する、ステップとを含む。
【００２３】
本出願の実施形態では、第1のPLMNにアクセスするときに、端末デバイスは、第1のPLMNの識別子情報および対応関係に基づいて、第1のPLMNに対応する第1のネットワーク選択支援情報を決定し得る。このようにして、ネットワーク支援情報およびPLMN識別子情報が変化するときに、端末デバイスが誤って未変更のネットワークにアクセスするのを防ぐことができる。したがって、本出願の実施形態では、端末デバイスはネットワークに正しくアクセスすることができる。
【００２４】
いくつかの実施態様では、少なくとも1つのPLMNは、端末デバイスによって現在アクセスされているPLMNおよび／または端末デバイスによって代替的にアクセスされるPLMNを含む。
【００２５】
いくつかの実施態様では、第1のPLMNが代替的にアクセスされるPLMNである場合、端末デバイスにより、第1のPLMNの識別子情報を取得するステップは、第1のPLMNにアクセスするときに、端末デバイスにより、コアネットワークデバイスによって送信された第1のPLMNの識別子情報を取得するステップを含む。
【００２６】
いくつかの実施態様では、第1のPLMNが現在アクセスされているPLMNである場合、端末デバイスにより、第1のPLMNの識別子情報を取得するステップは、端末デバイスにより、端末デバイスが第1のPLMNに以前にアクセスしたときに端末デバイスによって取得された第1のPLMNの識別子情報を取得するステップを含む。
【００２７】
いくつかの実施態様では、端末デバイスにより、コアネットワークデバイスによって送信された少なくとも1つの公衆陸上移動網PLMNの識別子情報および少なくとも1つのPLMNに対応するターゲットネットワークスライス選択支援情報を受信するステップの前に、本方法は、端末デバイスにより、コアネットワークデバイスに非アクセス層要求メッセージを送信するステップをさらに含み、端末デバイスにより、コアネットワークデバイスによって送信された少なくとも1つの公衆陸上移動網PLMNの識別子情報および少なくとも1つのPLMNに対応するターゲットネットワークスライス選択支援情報を受信するステップは、端末デバイスにより、非アクセス層要求メッセージの応答メッセージを使用して、コアネットワークデバイスによって送信された少なくとも1つのPLMNの識別子情報および少なくとも1つのPLMNに対応するターゲットネットワークスライス選択支援情報を受信するステップを含む。
【００２８】
いくつかの実施態様では、本方法は、端末デバイスにより、コアネットワークデバイスによって送信された第1の指示情報を受信するステップであって、第1の指示情報が、端末デバイスに、少なくとも1つのPLMNの識別子情報および少なくとも1つのPLMNに対応するターゲットネットワークスライス選択支援情報を格納するよう命令するために使用される、ステップをさらに含む。任意選択で、非アクセス層要求メッセージの応答メッセージは、第1の指示情報を含む。
【００２９】
いくつかの実施態様では、端末デバイスにより、AMFデバイスによって送信された少なくとも1つの公衆陸上移動網PLMNの識別子情報および少なくとも1つのPLMNに対応するネットワークスライス選択支援情報を受信するステップは、端末デバイスにより、非アクセス層NASメッセージを使用してAMFデバイスによって送信された少なくとも1つのPLMNの識別子情報および少なくとも1つのPLMNに対応するネットワークスライス選択支援情報を受信するステップを含む。
【００３０】
いくつかの実施態様では、少なくとも1つのPLMNにおけるネットワークスライス選択支援情報は、スライスタイプ情報、端末デバイスが現在アクセスする必要があるコアネットワークデバイスの識別子情報、または端末デバイスが現在アクセスする必要があるコアネットワークデバイスのタイプ情報を含む。
【００３１】
第3の態様によれば、情報伝送装置が提供され、本情報伝送装置は、第1の態様または第1の態様のいずれかの可能な実施態様の方法を行うように構成される。具体的には、本装置は、第1の態様または第1の態様のいずれかの可能な実施態様の方法を行うように構成されたユニットを含む。
【００３２】
第4の態様によれば、情報伝送装置が提供され、本情報伝送装置は、第2の態様または第2の態様のいずれかの可能な実施態様の方法を行うように構成される。具体的には、本装置は、第2の態様または第2の態様のいずれかの可能な実施態様の方法を行うように構成されたユニットを含む。
【００３３】
第5の態様によれば、情報伝送装置が提供され、本装置は、送受信機と、メモリと、プロセッサとを含む。送受信機と、メモリと、プロセッサとは、内部接続パスを介して互いに通信する。メモリは、命令を格納するように構成される。プロセッサは、メモリに格納された命令を実行して、信号を受信するよう受信機を制御し、信号を送信するよう送信機を制御するように構成される。加えて、プロセッサがメモリに格納された命令を実行すると、その実行により、プロセッサは、第1の態様または第1の態様の可能な実施態様のいずれか1つの方法を行うことができるようになる。
【００３４】
第6の態様によれば、情報伝送装置が提供され、本装置は、送受信機と、メモリと、プロセッサとを含む。送受信機と、メモリと、プロセッサとは、内部接続パスを介して互いに通信する。メモリは、命令を格納するように構成される。プロセッサは、メモリに格納された命令を実行して、信号を受信するよう受信機を制御し、信号を送信するよう送信機を制御するように構成される。加えて、プロセッサがメモリに格納された命令を実行すると、その実行により、プロセッサは、第2の態様または第2の態様の可能な実施態様のいずれか1つの方法を行うことができるようになる。
【００３５】
第7の態様によれば、第3の態様または第3の態様の任意選択の実施態様のいずれか1つの装置と、第4の態様または第4の態様の任意選択の実施態様のいずれか1つの装置とを含む、情報伝送システムが提供される。任意選択で、本システムは、第5の態様または第5の態様の任意選択の実施態様のいずれか1つの装置と、第6の態様または第6の態様の任意選択の実施態様のいずれか1つの装置とを含む。
【００３６】
第8の態様によれば、本出願の実施形態はコアネットワークデバイスを提供する。本コアネットワークデバイスは、前述の方法例におけるコアネットワークデバイスの挙動を実施する機能を有する。この機能は、ハードウェアによって実施され得るか、または対応するソフトウェアをハードウェアが実行することによって実施され得る。ハードウェアまたはソフトウェアは、前述の機能に対応する1つまたは複数のモジュールを含む。
【００３７】
1つの可能な設計では、コアネットワークデバイスの構造は、処理部と通信部とを含む。処理部は、コアネットワークデバイスが前述の方法における対応する機能を実行するのを支援するように構成される。通信部は、コアネットワークデバイスが別のデバイスと通信するのを支援するように構成される。コアネットワークデバイスは記憶部さらに含んでいてもよく、記憶部は、処理部に結合し、コアネットワークデバイスに必要なプログラム命令およびデータを格納する、ように構成される。一例では、処理部はプロセッサであってもよく、通信部は送受信機であってもよく、記憶部はメモリであってもよい。
【００３８】
別の可能な設計では、コアネットワークデバイスの構造は、取得部と、処理部と、送受信部とを含み、各ユニットは、前述の方法例における対応する機能を果たし得る。詳細については、方法例の詳細な説明を参照されたい。詳細は繰り返さない。
【００３９】
第9の態様によれば、本出願の実施形態は端末インターフェースデバイスを提供する。本端末インターフェースデバイスは、前述の方法例における端末デバイスの挙動を実施する機能を有する。この機能は、ハードウェアによって実施され得るか、または対応するソフトウェアをハードウェアが実行することによって実施され得る。ハードウェアまたはソフトウェアは、前述の機能に対応する1つまたは複数のモジュールを含む。
【００４０】
1つの可能な設計では、端末インターフェースデバイスの構造は、処理部と通信部とを含む。処理部は、端末インターフェースデバイスが前述の方法における対応する機能を実行するのを支援するように構成される。通信部は、端末インターフェースデバイスが別のデバイスと通信するのを支援するように構成される。端末インターフェースデバイスは記憶部さらに含んでいてもよく、記憶部は、処理部に結合し、端末インターフェースデバイスに必要なプログラム命令およびデータを格納する、ように構成される。一例では、処理部はプロセッサであってもよく、通信部は送受信機であってもよく、記憶部はメモリであってもよい。
【００４１】
別の可能な設計では、端末インターフェースデバイスの構造は、送受信部と、取得部と、処理部とを含み、各ユニットは、前述の方法例における対応する機能を果たし得る。詳細については、方法例の詳細な説明を参照されたい。詳細は繰り返さない。別の態様によれば、本出願の実施形態は通信システムを提供し、本システムは、前述の態様におけるコアネットワークデバイスを含む。別の可能な設計では、本システムは、本出願の実施形態で提供される解決策におけるコアネットワークデバイスとインタラクションする別のデバイスをさらに含み得る。
【００４２】
第10の態様によれば、本出願の実施形態は通信システムを提供し、本システムは、前述の態様における端末インターフェースデバイスを含む。別の可能な設計では、本システムは、本出願の実施形態で提供される解決策における端末インターフェースデバイスとインタラクションする別のデバイスをさらに含み得る。
【００４３】
第11の態様によれば、本出願の実施形態は、前述のコアネットワークデバイスによって使用されるコンピュータソフトウェア命令を格納するように構成された、コンピュータ記憶媒体を提供する。コンピュータソフトウェア命令は、前述の態様を実行するために設計されたプログラムを含む。
【００４４】
第12の態様によれば、本出願の実施形態は、前述の端末インターフェースデバイスによって使用されるコンピュータソフトウェア命令を格納するように構成された、コンピュータ記憶媒体を提供する。コンピュータソフトウェア命令は、前述の態様を実行するために設計されたプログラムを含む。
【００４５】
第13の態様によれば、本出願は、命令を含むコンピュータプログラムをさらに提供する。本コンピュータプログラムがコンピュータ上で動作すると、コンピュータに前述の態様における方法を行わせる。
【００４６】
第14の態様によれば、本出願はシステム・オン・チップを提供し、本システム・オン・チップは、データ送信デバイスが前述の態様における機能を実施するのを、例えば、前述の方法においてデータおよび／または情報を生成または処理するのを支援するように構成された、プロセッサを含む。1つの可能な設計では、本システム・オン・チップはメモリをさらに含み、メモリは、データ送信デバイスに必要なプログラム命令およびデータを格納するように構成される。本システム・オン・チップはチップを含んでいてもよく、またはチップと別のディスクリートデバイスとを含んでいてもよい。
【図面の簡単な説明】
【００４７】
【図１】本出願の一実施形態による適用シナリオの概略図である。
【図２】本出願の一実施形態による情報伝送方法の概略図である。
【図３】本出願の一実施形態による別の情報伝送方法の概略図である。
【図４】本出願の一実施形態による別の情報伝送方法の概略図である。
【図５】本出願の一実施形態による別の情報伝送方法の概略図である。
【図６】本出願の一実施形態による情報伝送装置の概略図である。
【図７】本出願の一実施形態による別の情報伝送装置の概略図である。
【図８】本出願の一実施形態による情報伝送システムの概略図である。
【図９】本出願の一実施形態による情報伝送装置の概略図である。
【図１０】本出願の一実施形態による別の情報伝送装置の概略図である。
【発明を実施するための形態】
【００４８】
以下で、添付の図面を参照して本出願の技術的解決策を説明する。
【００４９】
本出願の実施形態の技術的解決策は、グローバル・システム・フォー・モバイル・コミュニケーションズ（global system for mobile communications、GSM（登録商標））システム、符号分割多元接続（code division multiple access、CDMA）システム、広帯域符号分割多元接続（wideband code division multiple access、WCDMA（登録商標））システム、汎用パケット無線サービス（general packet radio service、GPRS）システム、ロングタームエボリューション（long term evolution、LTE）システム、LTE周波数分割複信（frequency division duplex、FDD）システム、LTE時分割複信（time division duplex、TDD）システム、ユニバーサル移動通信システム（universal mobile telecommunications system、UMTS）、マイクロ波アクセスのための世界的相互運用性（worldwide interoperability for microwave access、WiMAX）通信システム、無線ローカルエリアネットワーク（wireless local area network、WLAN）システム、または将来の第5世代（the fifth Generation、5G）無線通信システムなどの様々な通信システムに適用され得ることを理解されたい。
【００５０】
図1は、本出願の一実施形態による適用シナリオの概略図である。この適用シナリオは、第1の端末デバイス110と、第2の端末デバイス120と、アクセスネットワークデバイス130と、第1のコアネットワークデバイス140と、第2のコアネットワークデバイス150とを含む。
【００５１】
第1の端末デバイス110および第2の端末デバイス120は、ユーザ機器（user equipment、UE）、移動局（mobile station、MS）、移動端末（mobile terminal）、将来の5Gネットワーク端末デバイスなどと呼ばれ得る。端末デバイスは無線アクセスネットワーク（radio access network、RAN）を使用して1つまたは複数のコアネットワーク（ネットワークスライスなど）と通信し得る。例えば、端末は、携帯電話（「セルラー」電話とも呼ばれる）や移動端末付きのコンピュータであり得る。例えば、代替として端末は、無線アクセスネットワークと音声および／またはデータをやりとりする、携帯型モバイル装置、ポケットサイズのモバイル装置、ハンドヘルド型モバイル装置、コンピュータ内蔵型モバイル装置、または車載式モバイル装置であってもよい。例えば、本出願の本実施形態では、第1の端末デバイス110および第2の端末デバイス120は、異なるサービスタイプまたは異なるデバイス要件を有する端末デバイスであり得る。
【００５２】
アクセスネットワークデバイス130は、GSM（登録商標）またはCDMAにおける基地局コントローラ（base station controller、BSC）であってもよく、WCDMA（登録商標）における無線ノードコントローラ（radio node controller、RNC）であってもよく、LTEにおける進化型NodeB（evolved node B、eNB、またはe-NodeB）であってもよく、将来の5Gネットワークにおける新しいタイプの基地局（例えば、evolved LTE node B、eLTE NBやnext generation Node B、gNB）であってもよい。アクセスネットワークデバイス130は、共有アクセスネットワークデバイスであってもよく、例えば、複数の公衆陸上移動網（public land mobile network、PLMN）によって共有されるアクセスネットワークデバイスであり得る。
【００５３】
例えば、第1のコアネットワークデバイス140および第2のコアネットワークデバイス150は、コアネットワークのアクセスおよびモビリティ管理機能（access and mobility management function、AMF）デバイス、モビリティ管理エンティティ（mobility management entity、MME）、ポリシー制御機能（policy control function、PCF）デバイス、または、加入データベースもしくはサービング汎用パケット無線サービス（general packet radio service、GPRS）サポートノード（serving GPRS support node、SGSN）とも呼ばれ得るホーム加入者サーバ（home subscriber server、HSS）であってもよい。第1のコアネットワークデバイス140は、第1の通信機能を有する第1の端末デバイス110にサービスするコアネットワークデバイスであってもよい。第2のコアネットワークデバイス150は、第2の通信機能を有する第2の端末デバイス120にサービスするコアネットワークデバイスであってもよい。
【００５４】
本出願の本実施形態では、第1の端末デバイス110および第2の端末デバイス120は、マシンタイプ通信機能、車両タイプ通信機能、もしくは公共安全タイプ通信機能を有する端末デバイスであってもよく、第1のコアネットワークデバイス140および第2のコアネットワークデバイス150は、マシンタイプ通信機能、車両タイプ通信機能、もしくは公共安全タイプ通信機能を有する端末デバイスにサービスする機能を有し得ることに留意されたい。具体的には、例えば、第1の端末デバイス110がマシンタイプ通信機能を有する場合、第1の端末デバイス110にサービスするコアネットワークデバイスは、マシンタイプ端末デバイスにサービスする能力を有する第1のコアネットワークデバイス140である。第2の端末デバイス120が車両タイプ通信機能を有する場合、端末デバイス120にサービスするコアネットワークデバイスは、車両タイプ端末デバイスにサービスする能力を有する第2のコアネットワークデバイス150である。本実施形態では、端末デバイスの通信機能は変化し得る。1つの可能な事例では、端末デバイスは複数の通信機能をサポートし、例えば、マシンタイプ通信機能とモバイルブロードバンドタイプ通信機能の両方を有する。端末デバイスは、ユーザ設定に基づいて複数の通信機能を切り替え得る。
【００５５】
例えば、1つの可能な適用シナリオでは、第1の端末デバイス110の通信機能が変化すると、第1の端末デバイス110によってアクセスされるPLMNに対応するネットワークスライス選択支援情報（network slice selection assistance information、NSSAI）も更新される。PLMNに対応するネットワークスライス選択支援情報は、PLMNで第1の端末デバイス110にサービスするネットワークスライスの選択を支援するか、またはPLMNで第1の端末デバイス110にサービスするコアネットワークデバイスの選択を支援するために使用される。第1のコアネットワークデバイス140は第1の端末デバイス110に、現在アクセスされているPLMNにおけるネットワークスライス選択支援情報を通知する。しかしながら、第1の端末デバイス110の通信機能が変化すると、第1の端末デバイス110によって現在アクセスされているPLMNに対応するネットワークスライス選択支援情報に加えて、第1の端末デバイス110によって後でアクセスされ得る、ローミングPLMNなどの別のPLMNにおけるネットワークスライス選択支援情報も更新され得る。第1の端末デバイス110が、現在アクセスされているPLMNに対応するネットワークスライス選択支援情報のみを通知された場合、第1の端末デバイス110がローミングPLMNなどの別のPLMNに移動すると、ローミングPLMNに対応する未更新のネットワークスライス選択支援情報が誤って提供され、ネットワークスライス選択支援情報に基づいて第1の端末デバイス110にローミングPLMNのコアネットワークデバイスまたはネットワークスライスを正しく選択することができず、リダイレクトプロセスが行われることになる。
【００５６】
1つの可能な適用シナリオでは、ネットワークスライス選択支援情報は、コアネットワークデバイスを決定するために使用され得る。例えば、ネットワークスライス選択支援情報は、スライスタイプ（slice type）情報を含み得る。任意選択で、ネットワークスライス選択支援情報は、スライスディファレンシエータ（slice differentiator）情報をさらに含んでいてもよく、スライスディファレンシエータ情報は、同じスライスタイプのものであるが異なる端末デバイスグループにサービスする複数のネットワークスライスを区別するために使用される。スライスタイプ情報およびスライスディファレンシエータ情報はコアネットワークデバイスを決定するために使用され得る。
【００５７】
別の可能な適用シナリオでは、ネットワークスライス選択支援情報は、コアネットワークデバイスタイプ情報またはコアネットワークデバイス識別子情報であってもよく、コアネットワークデバイスタイプ情報またはコアネットワークデバイス識別子情報は、コアネットワークデバイスを決定するために使用され得る。
【００５８】
別の例として、1つの可能な適用シナリオでは、アクセスネットワークデバイス130は、第1の端末デバイス110と第2の端末デバイス120とに少なくとも1つの公衆陸上移動網（public land mobile network、PLMN）の共有識別子情報をブロードキャストし得る。第1の端末デバイス110と第2の端末デバイス120とがネットワーク共有をサポートする端末デバイスである場合、第1の端末デバイス110と第2の端末デバイス120とは各々、少なくとも1つのPLMNの識別子情報に基づいて、第1の端末デバイス110または第2の端末デバイス120によってアクセスされるPLMNを決定する。次いで、第1の端末デバイス110と第2の端末デバイス120とは各々、第1の端末デバイス110または第2の端末デバイス120に格納されたPLMN識別子情報とコアネットワークデバイスとの対応関係に基づいて、第1の端末デバイス110または第2の端末デバイス120がアクセスする必要のあるコアネットワークデバイスを決定する。最後に、第1の端末デバイス110と第2の端末デバイス120とは各々、アクセスネットワークデバイス130に送信されるべき要求メッセージに、第1の端末デバイス110または第2の端末デバイス120に対応するコアネットワークデバイスの識別子情報を付加する。このようにして、アクセスデバイス130は、各端末デバイスによって送信されたコアネットワークデバイスの識別子情報に基づいて、各端末デバイスに対応するコアネットワークデバイスにアクセス要求メッセージを送信し得る。
【００５９】
さらに別の例として、1つの可能な適用シナリオでは、第1の端末デバイス110がネットワーク共有をサポートせず、アクセスネットワークデバイス130が少なくとも1つのPLMNの識別子情報をブロードキャストする場合、第1の端末デバイス110は、少なくとも1つのPLMNの識別子情報から、第1の端末デバイス110のPLMNとしてcommon PLMNを見つけ、次いで、第1の端末デバイス110に格納されたcommon PLMNの識別子情報とネットワークスライス選択支援情報との対応関係に基づいて、common PLMNに対応するネットワークスライス選択支援情報を決定する。端末デバイス110は、アクセスネットワークデバイス130にネットワークスライス選択支援情報を提供する。アクセスネットワークデバイス130がネットワークスライス選択支援情報に基づいて第1のコアネットワークデバイス140を選択し、第1のコアネットワークデバイス140が第1のPLMNに属する場合、アクセスネットワークデバイス130は、第1のコアネットワークデバイス140に、第1の端末デバイス110によって送信されたアクセス要求を送信する。第1の端末デバイス110によって送信された要求メッセージを受信すると、第1のコアネットワークデバイス140は、第1のコアネットワークデバイス140が第1の端末デバイス110の通信機能を満たすかどうかを決定する。第1のコアネットワークデバイス140が第1の端末デバイス110の通信機能を満たさない場合、第1のコアネットワークデバイス140は、第1の端末デバイス110の通信機能を満たす第2のコアネットワークデバイス150を決定し、第1のコアネットワークデバイス140は第1の端末デバイス110の要求メッセージを第2のコアネットワークデバイス150にリダイレクトする。第2のコアネットワークデバイス150は第1の端末デバイス110の要求メッセージを処理する。1つの処理プロセスでは、第2のコアネットワークデバイス150は第1の端末デバイス110のネットワークスライス選択支援情報を更新し、ネットワークスライス選択支援情報は端末デバイスの通信機能に対応する。第2のコアネットワークデバイス150は第1の端末デバイス110に更新されたネットワークスライス選択支援情報を送信する。更新されたネットワークスライス選択支援情報を受信した後、第1の端末デバイス110は、common PLMNの識別子情報と更新されたネットワークスライス選択支援情報とを格納する。端末デバイス110が実際に属するPLMNは第1のPLMNであるが、第1の端末デバイス110はネットワーク共有をサポートしないので、第1の端末デバイス110によって決定されるPLMNはcommon PLMNである。第1の端末デバイス110が第1のPLMNによってカバーされるエリアに移動すると、第1の端末デバイス110は、第1のPLMNのアクセスネットワークデバイスによってブロードキャストされた第1のPLMNの識別子情報を受信し、第1の端末デバイス110は、第1の端末デバイス110に格納されている第1のPLMNの識別子情報に基づいて対応するネットワークスライス選択支援情報を探索する。ネットワークスライス選択支援情報は更新されず、したがって、第1の端末デバイス110は第1のコアネットワークデバイス140に依然としてアクセスする。言い換えると、端末デバイス110にサービスするコアネットワークデバイスが第1のコアネットワークデバイス140から第2のコアネットワークデバイス150に変更される場合、第1の端末デバイス110は、第1の端末デバイス110に格納された第1のPLMNの識別子情報と未更新のネットワークスライス選択支援情報とに基づいて第1のコアネットワークデバイス140に依然としてアクセスし、リダイレクトの問題が生じる。
【００６０】
本出願の本実施形態の方法は、端末デバイスはネットワーク共有をサポートするが、アクセスネットワークデバイスはネットワーク共有をサポートしない可能性があるシナリオに適用され得ることを理解されたい。あるいは、本出願の本実施形態の方法は、端末デバイスはネットワーク共有をサポートしないが、アクセスネットワークデバイスはネットワーク共有をサポートするシナリオに適用されてもよい。当然ながら、本出願の実施形態では適用シナリオは限定されない。例えば、本方法は、関係リスト確立シナリオに適用されてもよく、端末デバイスとコアネットワークデバイスとは、本出願の本実施形態の方法を使用してPLMN識別子情報とコアネットワークデバイス識別子情報との間の関係リストを確立する。あるいは、本方法は、関係リスト更新シナリオに適用されてもよい。本出願の本実施形態の方法の適用シナリオは限定されない。
【００６１】
図2に、本出願の一実施形態による情報伝送方法を示す。この方法は以下のステップを含む。
【００６２】
S210．コアネットワークデバイスが、端末デバイスの更新された第1のネットワーク選択情報を取得する。
【００６３】
ネットワーク選択情報は、端末デバイスの通信機能（例えば、使用タイプusage type）情報または端末デバイスの通信能力（capability）情報であり得る。例えば、端末デバイスの使用タイプは、マシンタイプ通信、モバイルブロードバンドタイプ通信、または車両タイプ通信であり得る。別の例として、端末デバイスは、マシン通信能力、モバイルブロードバンド通信能力、車両通信能力などを有する。例えば、端末デバイスが古いタイプから新しいタイプに更新される場合、新しいタイプに関する情報は更新された第1のネットワーク選択情報と呼ばれる。当然ながら、本出願の本実施形態では、端末デバイスにサービスするコアネットワークデバイスが変更される場合、ネットワーク選択情報は、前のコアネットワークデバイスに取って代わる新しいコアネットワークデバイスの識別子またはタイプであり得る。任意選択で、ネットワーク選択情報は、ネットワークスライス選択支援情報も含み得る。本出願の本実施形態では、ネットワーク選択情報は限定されず、端末デバイスによってアクセスされるコアネットワークデバイスの変更を引き起こし得る任意の情報がネットワーク選択情報と呼ばれ得る。
【００６４】
S220．コアネットワークデバイスが、少なくとも1つの公衆陸上移動網PLMNの識別子情報と、少なくとも1つのPLMNにおけるネットワークスライス選択支援情報とネットワーク選択情報との対応関係とを取得し、少なくとも1つのPLMNにおけるネットワーク選択情報が更新された第1のネットワーク選択情報を含む。
【００６５】
任意選択の一実施形態では、少なくとも1つのPLMNは、端末デバイスによって現在アクセスされているPLMNを含むか、または端末デバイスによって代替的にアクセスされるPLMNを含むか、または端末デバイスによって現在アクセスされているPLMNと端末デバイスによって代替的にアクセスされるPLMNとを含む。代替的にアクセスされるPLMNは、端末デバイスによって後でアクセスされ得るPLMN、例えば、端末デバイスによってローミングエリアでアクセスされるPLMNであり得る。
【００６６】
少なくとも1つのPLMNにおけるネットワーク選択情報の具体的な内容については、ステップ210のネットワーク選択情報の記述を参照することに留意されたい。PLMNにおけるネットワーク選択情報は更新された第1のネットワーク選択情報を含む。
【００６７】
少なくとも1つのPLMNにおけるネットワークスライス選択支援情報は少なくとも1つのPLMNにおけるスライスタイプ（slice type）情報であってもよく、スライスタイプ情報はコアネットワークデバイスを決定するために使用され得ることにも留意されたい。任意選択で、ネットワークスライス選択支援情報は、スライスディファレンシエータ（slice differentiator）情報をさらに含んでいてもよく、スライスディファレンシエータ情報は、同じスライスタイプのものであるが異なる端末デバイスグループにサービスする複数のネットワークスライスを区別するために使用される。スライスタイプ情報およびスライスディファレンシエータ情報はコアネットワークデバイスを決定するために使用され得る。任意選択で、ネットワークスライス選択支援情報は、コアネットワークデバイスタイプ情報またはコアネットワークデバイス識別子情報であってもよく、コアネットワークデバイスタイプ情報またはコアネットワークデバイス識別子情報はコアネットワークデバイスを決定するために使用され得る。例えば、ネットワークスライス選択支援情報は加入データベースに格納されていてもよく、またはコアネットワークデバイスは、端末デバイスの更新された第1のネットワーク選択情報に基づいて端末デバイスのためのネットワークスライス選択支援情報を決定し得る。例えば、現在のコアネットワークデバイスが端末デバイスのサービス要件をサポートしない場合、現在のコアネットワークデバイスは、端末デバイスに必要なサービスを提供できるターゲットコアネットワークデバイスを決定し得る。ターゲットコアネットワークデバイスのタイプまたは識別子はネットワークスライス選択支援情報と呼ばれ得る。
【００６８】
S230．コアネットワークデバイスが、更新された第1のネットワーク選択情報と対応関係とに基づいて、少なくとも1つのPLMNに対応するターゲットネットワークスライス選択支援情報を決定する。
【００６９】
具体的には、対応関係は、ネットワーク選択情報とネットワークスライス選択支援情報との関係を表すために使用される。ネットワーク選択情報が変化すると、ネットワークスライス選択支援情報が変化する。したがって、コアネットワークデバイスは、更新された第1のネットワーク選択情報と対応関係とに基づいてターゲットネットワークスライス選択支援情報として、更新された第1のネットワーク選択情報に対応するネットワークスライス選択支援情報を決定し得る。1つのPLMNに1つのターゲットネットワークスライス選択支援情報があってもよく、2つのPLMNに2つのターゲットネットワークスライス選択支援情報があってもよい。言い換えると、1つのPLMNは1つのネットワークスライス選択支援情報に対応し得る。当然ながら、本出願の本実施形態はこれに限定されない。例えば、2つのPLMNが1つのネットワークスライス選択支援情報に対応していてもよく、または1つのPLMNが2つのネットワークスライス選択支援情報に対応していてもよい。具体的には、端末デバイスにサービスする1つまたは複数のコアネットワークデバイスがあり得る。端末デバイスの第1のネットワーク選択情報が更新される場合、1つまたは複数のネットワークスライス選択支援情報が、端末デバイスが1つまたは複数のコアネットワークデバイスにアクセスするのを支援するために使用され得る。
【００７０】
S240．コアネットワークデバイスが、端末デバイスに、少なくとも1つのPLMNの識別子情報と、少なくとも1つのPLMNに対応するターゲットネットワークスライス選択支援情報とを送信する。端末デバイスは、コアネットワークデバイスによって送信された少なくとも1つの公衆陸上移動網PLMNの識別子情報と少なくとも1つのPLMNに対応するターゲットネットワークスライス選択支援情報とを受信し、少なくとも1つの公衆陸上移動網PLMNの識別子情報と少なくとも1つのPLMNに対応するターゲットネットワークスライス選択支援情報とは、第1のPLMNの識別子情報と第1のPLMNに対応する第1のネットワーク選択支援情報とを含む。
【００７１】
任意選択の一実施形態では、S240の後、方法200は、コアネットワークデバイスが、端末デバイスに第1の指示情報を送信するステップであって、第1の指示情報が、端末デバイスに、少なくとも1つのPLMNの識別子情報と少なくとも1つのPLMNに対応するターゲットネットワークスライス選択支援情報とを格納するよう命令するために使用される、ステップをさらに含む。端末デバイスは、コアネットワークデバイスによって送信された第1の指示情報を受信し、第1の指示情報に従って、少なくとも1つのPLMNの識別子情報と、少なくとも1つのPLMNに対応するターゲットネットワークスライス選択支援情報とを格納する。
【００７２】
本出願の本実施形態は、端末デバイスがデータ接続状態またはアイドル状態にあるシナリオに適用され得る。以下で異なる適用シナリオについて別々に説明する。以下の説明では、コアネットワークデバイスがAMFデバイスである例を使用する。
【００７３】
端末デバイスがアイドル状態にある場合、端末デバイスはAMFデバイスに非アクセス層要求メッセージを送信し、S230は、AMFデバイスが端末デバイスによって送信された非アクセス層要求メッセージを受信すると、AMFデバイスが更新された第1のネットワーク選択情報と対応関係とに基づいて、少なくとも1つのPLMNに対応するターゲットネットワークスライス選択支援情報を決定するステップを含む。少なくとも1つのPLMNに対応するターゲットネットワークスライス選択支援情報を決定するステップと、非アクセス層要求メッセージを受信するステップとの間に順番はない。S240は、AMFデバイスが非アクセス層メッセージ（非アクセス層要求メッセージの応答メッセージなど）を使用して端末デバイスに、少なくとも1つのPLMNの識別子と、少なくとも1つのPLMNに対応するターゲットネットワークスライス選択支援情報とを送信するステップと、端末デバイスが非アクセス層メッセージを使用して、AMFデバイスによって送信された少なくとも1つのPLMNの識別子情報と少なくとも1つのPLMNに対応するターゲットネットワークスライス選択支援情報とを受信するステップとを含む。任意選択で、非アクセス層メッセージは第1の指示情報を含み、第1の指示情報は、端末デバイスが、少なくとも1つのPLMNの識別子情報と少なくとも1つのPLMNに対応するターゲットネットワークスライス選択支援情報とを更新または格納する必要があることを指示するために使用される。
【００７４】
端末デバイスがデータ接続状態にある場合、AMFデバイスが少なくとも1つのPLMNに対応するターゲットネットワークスライス選択支援情報を決定した後、AMFデバイスは、非アクセス層メッセージに、少なくとも1つのPLMNの識別子情報と、少なくとも1つのPLMNに対応するターゲットネットワークスライス選択支援情報とを付加し、非アクセス層メッセージを端末デバイスに送信し得る。端末デバイスは、AMFデバイスによって非アクセス層メッセージを使用して送信された少なくとも1つのPLMNの識別子情報と、少なくとも1つのPLMNに対応するネットワークスライス選択支援情報とを受信する。具体的には、非アクセス層メッセージは、一時的な再配識別子情報であり得る。
【００７５】
具体的には、コアネットワークデバイスは、AMFデバイス、PCFデバイス、加入データベースなどであり得る。以下で3つの事例の説明を別々に行う。しかしながら、これについては本願の本実施形態では限定されない。
【００７６】
第1の事例では、コアネットワークデバイスがAMFデバイスである場合、S210は、AMFデバイスが、加入データベースによって送信された端末デバイスの更新された第1のネットワーク選択情報を受信するステップを含み、S220は、AMFデバイスが、PCFデバイスまたは加入データベースによって送信された少なくとも1つのPLMNにおけるネットワークスライス選択支援情報とネットワーク選択情報との対応関係と、少なくとも1つのPLMNの識別子情報とを受信するステップを含む。例えば、加入データベース内の端末デバイスの加入情報が更新されると、加入情報が第1のネットワーク選択情報である場合、加入データベースはAMFデバイスに更新された第1のネットワーク選択情報を送信する。任意選択で、加入データベースが少なくとも1つのPLMNの識別子情報と対応関係とをさらに格納していてもよく、加入データベースは少なくとも1つのPLMNの識別子情報と対応関係とをAMFデバイスに送信する。任意選択で、PCFデバイスが少なくとも1つのPLMNの識別子情報と対応関係とを格納していてもよく、PCFデバイスは少なくとも1つのPLMNの識別子情報と対応関係とをAMFデバイスに送信する。任意選択で、加入データベースが少なくとも1つのPLMNの識別子情報を格納していてもよく、PCFデバイスが対応関係を格納していてもよい。加入データベースはAMFデバイスに少なくとも1つのPLMNの識別子情報を送信し、PCFデバイスはAMFデバイスに対応関係を送信する。任意選択で、AMFデバイスは、加入データベースによって送信された代替PLMNの識別子情報を受信してもよく、AMFデバイスは、端末デバイスの現在のアクセス状況に基づいて現在アクセスされているPLMNの識別子情報を決定してもよい。任意選択で、AMFデバイスは、加入データベースによって送信されたPLMNを受信し、PLMNと第1のマッピング関係とに基づいて、代替的にアクセスされるPLMNおよび／または現在アクセスされているPLMNを決定してもよい。第1のマッピング関係は、PLMNと端末デバイスによって代替的にアクセスされるPLMNとのマッピング関係および／またはPLMNと端末デバイスによって現在アクセスされているPLMNとのマッピング関係を指示するために使用される。AMFデバイスが少なくとも1つのPLMNの識別子情報と対応関係とをどのようにして取得するかは、本出願の本実施形態では限定されない。具体的には、加入データベースまたはPCFデバイスは、AMFデバイスからの要求に基づいて少なくとも1つのPLMNの識別子情報および／または対応関係をAMFデバイスに送信してもよい。あるいは、加入データベース内の端末デバイスの第1のネットワーク選択情報が更新されたときに、加入データベースがAMFデバイスに少なくとも1つのPLMNの識別子情報と対応関係とを送信してもよい。これについては本願の本実施形態では限定されない。
【００７７】
1つの可能な実施態様では、対応関係は、PCFデバイスまたは加入データベースによってAMFデバイスに送信されるのではなく、AMFデバイスに格納され得る。
【００７８】
第2の事例では、コアネットワークデバイスがPCFデバイスである場合、PCFデバイスはローミング契約を格納し、ローミング契約は端末デバイスによって代替的にアクセスされるPLMNを格納する。S210は、PCFデバイスが、加入データベースによってAMFデバイスを使用して送信された端末デバイスの更新された第1のネットワーク選択情報を受信するステップを含む。S220は、PCFデバイスが、PCFデバイスが属するPLMNとローミング契約に基づいて少なくとも1つのPLMNの識別子情報を取得するステップと、PCFデバイスが、PCFデバイスに格納された対応関係を取得するステップとを含む。S240は、PCFデバイスがAMFデバイスを使用して端末デバイスに、少なくとも1つのPLMNの識別子情報と、少なくとも1つのPLMNに対応するターゲットネットワークスライス選択支援情報とを送信するステップを含む。言い換えると、PCFデバイスは対応関係を格納していてもよく、PCFデバイスが属するPLMNは端末デバイスによって現在アクセスされているPLMNであり、ローミング契約内のPLMNは代替PLMNであり得る。任意選択で、PCFデバイスは、加入データベースによってAMFデバイスを使用して送信された少なくとも1つのPLMNの識別子情報または対応関係を受信し得る。任意選択で、PCFデバイスは、AMFデバイスによって送信された端末デバイスの更新された第1のネットワーク選択情報を直接受信し得る。
【００７９】
第3の事例では、コアネットワークデバイスが加入データベースである場合、S210は、加入データベースが、加入データベースに格納された端末デバイスの更新された第1のネットワーク選択情報を取得するステップを含み、S220は、加入データベースが、PCFデバイスによって送信された対応関係とローミング契約とを受信するステップであって、ローミング契約が少なくとも1つのPLMNの識別子情報を含み、PCFデバイスが対応関係とローミング契約とを格納する、ステップを含み、S240は、加入データベースがAMFデバイスを使用して端末デバイスに、少なくとも1つのPLMNの識別子情報と、少なくとも1つのPLMNに対応するターゲットネットワークスライス選択支援情報とを送信するステップを含む。
【００８０】
S250．端末デバイスが、第1のPLMNの識別子情報を取得し、第1のPLMNの識別子情報に基づいて第1のネットワーク選択支援情報を決定する。
【００８１】
具体的には、端末デバイスは、第1のPLMNの識別子情報に基づいて、対応関係において第1のPLMNに対応するネットワークスライス選択支援情報、すなわち、第1のネットワーク選択支援情報を探索する。任意選択で、第1のネットワーク選択支援情報は、前述のターゲットネットワークスライス選択支援情報であり得る。
【００８２】
S260．端末デバイスが、アクセス要求を開始し、アクセス要求メッセージが第1のネットワーク選択支援情報を搬送する。例えば、図2に示されるように、端末デバイスはアクセスネットワークデバイスへのアクセスを開始し得る。当然ながら、端末デバイスは、第1のネットワーク選択支援情報によって表されたターゲットコアネットワークデバイスへのアクセスも開始し得る。これについては本願の本実施形態では限定されない。
【００８３】
本出願の本実施形態では、端末デバイスが、コアネットワークデバイスによって送信された少なくとも1つのPLMNの識別子情報と少なくとも1つのPLMNに対応するターゲットネットワークスライス選択支援情報とを受信した後、端末デバイスに少なくとも1つのPLMNの識別子情報と少なくとも1つのPLMNに対応するターゲットネットワークスライス選択支援情報とがない場合、端末デバイスは、少なくとも1つのPLMNの識別子情報と少なくとも1つのPLMNに対応するターゲットネットワークスライス選択支援情報とを格納する。別の実施態様では、端末デバイスが、コアネットワークデバイスによって送信された少なくとも1つのPLMNの識別子情報と少なくとも1つのPLMNに対応するターゲットネットワークスライス選択支援情報とを受信した後、端末デバイスが、少なくとも1つのPLMNの識別子情報と少なくとも1つのPLMNに対応するネットワークスライス選択支援情報とを格納している場合、端末デバイスは、少なくとも1つのPLMNに対応するネットワークスライス選択支援情報を、ターゲットネットワークスライス選択支援情報に更新し得る。端末デバイスが少なくとも1つのPLMN中の第1のPLMNにアクセスするときに、端末デバイスは第1のPLMNの識別子情報と対応関係とに基づいて、第1のPLMNに対応する第1のネットワーク選択支援情報を決定する。端末デバイスは、第1のPLMNに対応する第1のネットワーク選択支援情報に基づいて対応するターゲットコアネットワークデバイスにアクセスし得る。例えば、第1のPLMNに対応するターゲットネットワークスライス選択支援情報は第1のコアネットワークデバイスの識別子情報である。端末デバイスは第1のコアネットワークデバイスへのアクセスを開始し、アクセス要求メッセージは第1のコアネットワークデバイスの識別子情報を搬送する。あるいは、端末デバイスはアクセスネットワークデバイスへのアクセスを開始し、アクセス要求メッセージは第1のコアネットワークデバイスの識別子情報を搬送する。アクセスネットワークデバイスが、端末デバイスによって送信された第1のコアネットワークデバイスの識別子情報を受信すると、アクセスネットワークデバイスは、第1のコアネットワークデバイスを端末デバイスのターゲットコアネットワークデバイスとして決定し、ターゲットコアネットワークデバイスへのアクセスを開始する。具体的には、ターゲットコアネットワークデバイスはAMFデバイスであり得る。
【００８４】
任意選択の一実施形態では、第1のPLMNが代替的にアクセスされるPLMNである場合、端末デバイスが第1のPLMNの識別子情報を取得することは、第1のPLMNにアクセスするときに、端末デバイスが、コアネットワークデバイスによって送信された第1のPLMNの識別子情報を取得するステップを含む。
【００８５】
任意選択の一実施形態では、第1のPLMNが現在アクセスされているPLMNである場合、端末デバイスが第1のPLMNの識別子情報を取得することは、端末デバイスが、端末デバイスが第1のPLMNに以前にアクセスしたときに端末デバイスによって取得された第1のPLMNの識別子情報を取得するステップを含む。
【００８６】
言い換えると、本出願の本実施形態では、端末デバイスは、PLAMN識別子情報とネットワークスライス選択支援情報との対応関係を格納する。端末デバイスが代替の第1のPLMNにアクセスするときに、コアネットワークデバイスは端末デバイスに代替の第1のPLMNの識別子情報を送信し、端末デバイスは、代替の第1のPLMNの識別子情報に基づいて第1のネットワーク選択支援情報を決定して、アクセスが開始されるときにアクセス要求メッセージに第1のネットワーク選択支援情報が付加されるようにする。端末デバイスによってアクセスされるPLMNが現在アクセスされている第1のPLMNである場合、端末デバイスは、端末デバイスが第1のPLMNに以前にアクセスしたときに端末デバイスによって取得された第1のPLMNの識別子情報を取得し、端末デバイスは、取得された第1のPLMNの識別子情報に基づいて第1のネットワーク選択支援情報を決定して、アクセスが開始されるときにアクセス要求メッセージに第1のネットワーク選択支援情報が付加されるようにする。
【００８７】
本出願の本実施形態の図2に対応する情報伝送方法をより良く理解するために、以下では例を使用して説明する。少なくとも1つのPLMNはPLMN AおよびPLMN Bを含み、PLMN Aは現在アクセスされているPLMNであり、PLMN Bは代替的にアクセスされるPLMNであると仮定する。例えば、PLMN Bは、端末デバイスがローミングし得る先のPLMNである。表1と表2とに、PLMN Aにおけるネットワーク選択情報とネットワークスライス選択支援情報との対応関係と、PLMN Bにおけるネットワーク選択情報とネットワークスライス選択支援情報との対応関係とをそれぞれ示す。端末デバイスのタイプがモバイルブロードバンドタイプからマシンタイプ通信タイプに変化すると、すなわち、端末デバイスの更新された第1のネットワーク選択情報がマシンタイプ通信タイプに変化すると、コアネットワークデバイスは、PLMN Aに対応するネットワークスライス選択支援情報がA1からA2に変化する必要があり、PLMN Bに対応するネットワークスライス選択支援情報がB1からB2に変更する必要があると決定する。その場合、A2がPLMN Aのターゲットネットワークスライス選択支援情報であり、B2がPLMN Bのターゲットネットワークスライス選択支援情報である。コアネットワークデバイスは、端末デバイスに、PLMN Aの識別子情報と、ネットワークスライス選択支援情報A2と、PLMN Bの識別子情報と、ネットワークスライス選択支援情報B2とを送信する必要がある。端末デバイスは、PLMN Aの識別子情報と、ネットワークスライス選択支援情報A2と、PLMN Bの識別子情報と、ネットワークスライス選択支援情報B2とを格納する。端末デバイスに元から格納されていたネットワークスライス選択支援情報が表3に示されている場合、表3のPLMN Aのネットワークスライス選択支援情報はA1であり、表3のPLMN Bのネットワークスライス選択支援情報はB1であり、端末デバイスの更新された第1のネットワーク選択情報がマシン通信タイプである場合、端末デバイスは、端末デバイスに格納された表を更新する、すなわち、表3を表4に更新する必要がある。具体的には、PLMN Aに対応するネットワークスライス選択支援情報はA2であり、PLMN Bに対応するネットワークスライス選択支援情報はB2である。任意選択で、A2とB2とは同じでも異なっていてもよい。例えば、表1および表2は、少なくとも1つのPLMNにおけるネットワークスライス選択支援情報とネットワーク選択情報との前述の対応関係と呼ばれ得る。
【００８８】
【表１】
0006925505.tif 000002
【００８９】
【表２】
0006925505.tif 000003
【００９０】
【表３】
0006925505.tif 000004
【００９１】
【表４】
0006925505.tif 000005
【００９２】
図2の実施形態に基づき、以下で、図3に示されるように、一例における、本出願の一実施形態による情報伝送方法300を説明する。方法300は以下のステップを含む。
【００９３】
S310．加入データベースがAMFデバイスに更新された第1のネットワーク選択情報を送信し、AMFデバイスが加入データベースによって送信された更新された第1のネットワーク選択情報（例えば、マシンタイプ通信タイプ）を受信する。
【００９４】
S320a．PCFデバイスが、AMFデバイスに、少なくとも1つのPLMNの識別子情報と、少なくとも1つのPLMNにおけるネットワークスライス選択支援情報とネットワーク選択情報との対応関係（例えば、前述の表1および表2）とを送信し、AMFデバイスが、PCFデバイスによって送信された少なくとも1つのPLMNの識別子情報と対応関係とを受信する。
【００９５】
S320b．加入データベースが、AMFデバイスに、少なくとも1つのPLMNの識別子情報と、少なくとも1つのPLMNにおけるネットワークスライス選択支援情報とネットワーク選択情報との対応関係（例えば、前述の表1および表2）とを送信し、AMFデバイスが、加入データベースによって送信された少なくとも1つのPLMNの識別子情報と対応関係とを受信する。
【００９６】
S320aもしくはS320bのみが行われてもよく、またはS320aとS320bの両方が行われてもよいことを理解されたい。加えて、S310とS320aまたはS320bとの間の順序も限定されない。例えば、S310がS320aもしくはS320bの前に行われてもよく、またはS320aもしくはS320bの後に行われてもよい。
【００９７】
任意選択で、S310は、加入データベース内の端末デバイスの加入情報の変化により端末デバイスの第1のネットワーク選択情報の更新を生じさせ、加入データベースがAMFデバイスに周期的に更新された第1のネットワーク選択情報を能動的に送信するか、または加入データベースがAMFデバイスからの要求に基づいて更新された第1のネットワーク選択情報を送信し得ることであり得る。同様に、S320aまたはS320bも、加入データベースもしくはPCFデバイスがAMFデバイスからの要求に基づいて少なくとも1つのPLMNの識別子情報と対応関係とを送信することであり得るか、または加入データベースもしくはPCFデバイスが少なくとも1つのPLMNの識別子情報と対応関係とを能動的に送信することであり得る。例えば、加入データベースまたはPCFデバイスはAMFデバイスに少なくとも1つのPLMNの識別子情報と対応関係とを周期的に送信し得る。これについては本願の本実施形態では限定されない。
【００９８】
任意選択で、加入データベースはAMFデバイスに少なくとも1つのPLMNの識別子情報を送信してもよく、PCFデバイスはAMFデバイスに対応関係を送信する。これについては本願の本実施形態では限定されない。
【００９９】
S330．AMFデバイスが、更新された第1のネットワーク選択情報と対応関係とに基づいて、少なくとも1つのPLMNに対応するターゲットネットワークスライス選択支援情報（例えば、PLMN Aに対応するターゲットネットワークスライス選択支援情報はA2であり、PLMN Bに対応するターゲットネットワークスライス選択支援情報はB2である）を決定する。続いてS340aまたはS340bが行われる。具体的には、更新された第1のネットワーク選択情報がマシンタイプ通信タイプである場合、対応関係は表1または表2であり、少なくとも1つのPLMNは表1および表2のPLMN AおよびPLMN Bを含み、表1および表2の少なくとも1つのPLMNに対応するターゲットネットワークスライス選択支援情報はA2およびB2である。
【０１００】
S340a．端末デバイスがデータ接続状態にある場合、AMFデバイスが、非アクセス層メッセージを使用して端末デバイスに、少なくとも1つのPLMNの識別子情報と、少なくとも1つのPLMNに対応するターゲットネットワークスライス選択支援情報とを送信する。例えば、非アクセス層メッセージは一時的な識別子再配情報であり得る。
【０１０１】
S340b．端末デバイスがアイドル状態にある場合、AMFデバイスが、非アクセス要求メッセージの応答メッセージを使用して端末デバイスに、少なくとも1つのPLMNの識別子情報と、少なくとも1つのPLMNに対応するターゲットネットワークスライス選択支援情報とを送信し得る。具体的には、AMFデバイスは、アクセスネットワークデバイスを使用して端末デバイスに非アクセス層要求メッセージの応答メッセージを送信してもよく、非アクセス層要求メッセージの応答メッセージは、少なくとも1つのPLMNの識別子情報と、少なくとも1つのPLMNに対応するターゲットネットワークスライス選択支援情報とを搬送する。任意選択で、非アクセス要求メッセージの応答メッセージは指示情報を搬送してもよい。指示情報は、現在のAMFデバイスが端末デバイスにサービスできず、端末デバイスが、少なくとも1つのPLMNの識別子情報と、少なくとも1つのPLMNに対応するターゲットネットワークスライス選択支援情報とを更新または格納する必要があることを指示する。
【０１０２】
S350．非アクセス層メッセージまたは非アクセス層要求メッセージの応答メッセージを受信した後、端末デバイスは、少なくとも1つのPLMNの識別子情報と、少なくとも1つのPLMNに対応するターゲットネットワークスライス選択支援情報とを更新または格納し得る。加えて、端末デバイスは、少なくとも1つのPLMN中の第1のPLMNの識別子情報を取得し、第1のPLMNに対応する第1のネットワーク選択支援情報を決定し得る。
【０１０３】
具体的には、第1のPLMNが代替PLMNである場合、端末デバイスが第1のPLMNにアクセスするときに、アクセスネットワークデバイスは端末デバイスに第1のPLMNの識別子情報を送信し、端末デバイスは、端末デバイスのネットワーク選択情報に基づいて第1のPLMNにおけるネットワークスライス選択支援情報を決定する。第1のPLMNが端末デバイスによって現在アクセスされているPLMNである場合、端末デバイスは現在アクセスされているPLMNに以前にアクセスした可能性がある。したがって、現在アクセスされているPLMNの識別子情報は、以前にアクセスされたPLMNに基づいて決定されてもよく、次にネットワークスライス選択支援情報は、そのPLMNの識別子情報に基づいて決定される。例えば、PLMNの識別子情報がPLMN Aであると仮定する。表1に示されるように、端末デバイスが現在、マシンタイプのものである場合、端末デバイスは、端末デバイスの通信タイプに基づいて、ネットワークスライス選択支援情報はA2であると決定し得る。
【０１０４】
任意選択で、第1のネットワーク選択支援情報は、第1のPLMNにおけるターゲットネットワークスライス選択支援情報であってもよい。
【０１０５】
S360．端末デバイスがアクセスネットワークデバイスにアクセス要求メッセージを送信し、アクセス要求メッセージが、第1のPLMNに対応する第1のネットワーク選択支援情報を搬送するか、または端末デバイスが、第1のネットワーク選択支援情報に対応するターゲットAMFデバイスへのアクセスを直接開始し得る。
【０１０６】
具体的には、端末デバイスが第1のPLMNによってカバーされるエリアに移動すると、端末デバイスは、端末デバイスに格納された、PLMN識別子情報とネットワークスライス選択支援情報との対応関係に基づいて、第1のPLMNに対応する第1のネットワーク選択支援情報を決定し、第1のネットワーク選択支援情報は、端末デバイスがターゲットAMFデバイスにアクセスするのを支援するために使用される。端末デバイスは2つの方法でターゲットAMFデバイスにアクセスし得る。第1の方法では、端末デバイスがアクセスネットワークデバイスにアクセス要求メッセージを送信し、アクセス要求メッセージは第1のPLMNに対応する第1のネットワーク選択支援情報を搬送する。アクセスネットワークデバイスは、第1のネットワーク選択支援情報に基づいてターゲットAMFデバイスを決定し、ターゲットAMFデバイスへの要求を開始し、端末デバイスがターゲットAMFデバイスにアクセスする必要があると要求する。第2の方法では、端末デバイスは、第1のネットワーク選択支援情報に基づいてターゲットAMFデバイスを直接決定し、ターゲットAMFデバイスへのアクセスを直接開始する。
【０１０７】
したがって、本出願の実施形態で提供される情報伝送方法によれば、AMFデバイスは、端末デバイスに、少なくとも1つのPLMNの識別子情報と、少なくとも1つのPLMNに対応するターゲットネットワーク支援情報とを送信する。端末デバイスが、少なくとも1つのPLMNの識別子情報と少なくとも1つのPLMNに対応するネットワークスライス選択支援情報とを格納している場合、端末デバイスは、格納された少なくとも1つのPLMNに対応するネットワークスライス選択支援情報を更新する。端末デバイスが少なくとも1つのPLMNの識別子情報と少なくとも1つのPLMNに対応するターゲットネットワークスライス選択支援情報とを格納していない場合、端末デバイスは、少なくとも1つのPLMNの識別子情報と少なくとも1つのPLMNに対応するターゲットネットワークスライス選択支援情報とを格納する。このようにして、少なくとも1つのPLMNの識別子情報に対応するネットワーク支援情報をリアルタイムで更新または格納することができる。少なくとも1つのPLMNのいずれかのアクセスするとき、端末デバイスは対応するネットワークスライス選択支援情報を見つけることができるので、端末デバイスが確実にネットワークに正しくアクセスできるようになる。
【０１０８】
図2の実施形態に基づき、以下で、図4に示されるように、別の例における、本出願の一実施形態による情報伝送方法400を説明する。方法400は以下のステップを含む。
【０１０９】
S410．加入データベース内の端末デバイスの加入情報が変化した場合、例えば、端末デバイスの第1のネットワーク選択情報が更新された場合、加入データベースがAMFデバイスに更新された第1のネットワーク選択情報（例えば、マシンタイプ通信タイプ）を送信する。
【０１１０】
任意選択で、加入データベース内の端末デバイスの加入情報の変化により端末デバイスの第1のネットワーク選択情報の更新を生じさせる。加入データベースはAMFデバイスに周期的に更新された第1のネットワーク選択情報を能動的に送信するか、または加入データベースはAMFデバイスからの要求に基づいて更新された第1のネットワーク選択情報を送信し得る。
【０１１１】
S420．AMFデバイスがPCFデバイスに更新された第1のネットワーク選択情報を送信する。具体的には、AMFデバイスが加入データベースによって送信された更新された第1のネットワーク選択情報を受信した場合、AMFデバイスはPCFデバイスに更新された第1のネットワーク選択情報を送信する。あるいは、AMFデバイスは、更新された第1のネットワーク選択情報を受信すると更新された第1のネットワーク選択情報を格納し、次いでAMFデバイスは、PCFデバイスがAMFデバイスにネットワーク選択情報を要求したときにPCFデバイスに更新された第1のネットワーク選択情報を送信する。
【０１１２】
任意選択で、ステップS410が行われない場合もあり、すなわち、AMFデバイスは、端末デバイスの更新された第1のネットワーク選択情報を元から格納している。このようにして、AMFデバイスはPCFデバイスに更新された第1のネットワーク選択情報を直接送信し得る。
【０１１３】
S430．PCFデバイスが少なくとも1つのPLMNにおけるネットワークスライス選択支援情報とネットワーク選択情報との対応関係（例えば、前述の表1および表2）を格納し得る。このようにして、PCFデバイスはPCFデバイスに格納された対応関係を取得し得る。PCFデバイスは、PCFデバイスが属するPLMNの識別子情報に基づいて、端末デバイスによって現在アクセスされているPLMNの識別子情報を決定し得る。PCFデバイスは、PCFデバイスに格納されたローミングに基づいて代替的にアクセスされるPLMNの識別子情報を決定し得る。このようにして、少なくとも1つのPLMNの識別子情報と対応関係とを取得することができる。
【０１１４】
S440．PCFデバイスが、更新された第1のネットワーク選択情報と対応関係とに基づいて、少なくとも1つのPLMNに対応するターゲットネットワークスライス選択支援情報（例えば、PLMN Aに対応するターゲットネットワークスライス選択支援情報はA2であり、PLMN Bに対応するターゲットネットワークスライス選択支援情報はB2である）を決定する。続いてS340aまたはS340bが行われる。例えば、更新された第1のネットワーク選択情報がマシンタイプ通信タイプである場合、対応関係は表1または表2であり、少なくとも1つのPLMNは表1および表2のPLMN AおよびPLMN Bを含み、表1および表2の少なくとも1つのPLMNに対応するターゲットネットワークスライス選択支援情報はA2およびB2である。
【０１１５】
S450．PCFデバイスが、AMFデバイスに、少なくとも1つのPLMNの識別子情報と、少なくとも1つのPLMNに対応するターゲットネットワークスライス選択支援情報とを送信し、AMFデバイスが、PCFデバイスによって送信された少なくとも1つのPLMNの識別子情報と少なくとも1つのPLMNに対応するターゲットネットワークスライス選択支援情報とを受信する。
【０１１６】
S460aはS340aと同じである。
【０１１７】
S460bはS340bと同じである。
【０１１８】
S470はS350と同じである。
【０１１９】
S480はS360と同じである。
【０１２０】
図2の実施形態に基づき、以下で、図5に示されるように、別の例における、本出願の一実施形態による情報伝送方法500を説明する。方法500は以下のステップを含む。
【０１２１】
S510．加入データベースが、加入データベースに格納された端末デバイスの更新された第1のネットワーク選択情報（例えば、マシンタイプ通信タイプ）を取得する。
【０１２２】
S520．PCFデバイスが、加入データベースに、少なくとも1つのPLMNの識別子情報と、少なくとも1つのPLMNにおけるネットワークスライス選択支援情報とネットワーク選択情報との対応関係（例えば、前述の表1および表2）とを送信する。
【０１２３】
PCFデバイスは、加入データベースからの要求に基づいて加入データベースに少なくとも1つのPLMNの識別子情報と対応関係とを送信し得ることを理解されたい。あるいは、PCFデバイスは、加入データベースに少なくとも1つのPLMNの識別子情報と対応関係とを能動的に送信する。
【０１２４】
任意選択で、加入データベースが対応関係を格納してもよい。これについては本願の本実施形態では限定されない。
【０１２５】
S530．加入データベースが、更新された第1のネットワーク選択情報と対応関係とに基づいて、少なくとも1つのPLMNに対応するターゲットネットワークスライス選択支援情報（例えば、PLMN Aに対応するターゲットネットワークスライス選択支援情報はA2であり、PLMN Bに対応するターゲットネットワークスライス選択支援情報はB2である）を決定する。例えば、更新された第1のネットワーク選択情報がマシンタイプ通信タイプである場合、対応関係は表1または表2であり、少なくとも1つのPLMNは表1および表2のPLMN AおよびPLMN Bを含み、表1および表2の少なくとも1つのPLMNに対応するターゲットネットワークスライス選択支援情報はA2およびB2である。
【０１２６】
S540．加入データベースが、AMFデバイスに、少なくとも1つのPLMNの識別子情報と、少なくとも1つのPLMNに対応するターゲットネットワークスライス選択支援情報とを送信し、AMFデバイスが、加入データベースによって送信された少なくとも1つのPLMNの識別子情報と少なくとも1つのPLMNに対応するターゲットネットワークスライス選択支援情報とを受信する。
【０１２７】
S550aはS340aと同じである。
【０１２８】
S550bはS340bと同じである。
【０１２９】
S560はS350と同じである。
【０１３０】
S570はS360と同じである。
【０１３１】
方法200から方法500のコアネットワークデバイスは第1のコアネットワークデバイス140または第2のコアネットワークデバイス150であってもよく、方法200から方法500の端末デバイスは第1の端末デバイス110または第2の端末デバイス120であってもよいことを理解されたい。
【０１３２】
本出願の実施形態による情報伝送方法について図2から図5を参照して上記で詳細に説明した。以下で、図6から図10を参照して本出願の実施形態による情報伝送装置および情報伝送システムについて説明する。
【０１３３】
図6は、本出願の一実施形態による情報伝送装置600の概略的ブロック図である。本装置は、方法200から方法500のコアネットワークデバイスであり得る。図6に示されるように、装置600は、取得部610と、処理部620と、送受信部630とを含む。
【０１３４】
取得部610は、端末デバイスの更新された第1のネットワーク選択情報を取得するように構成される。
【０１３５】
取得部610は、少なくとも1つの公衆陸上移動網PLMNの識別子情報と、少なくとも1つのPLMNにおけるネットワークスライス選択支援情報とネットワーク選択情報との対応関係とを取得し、少なくとも1つのPLMNにおけるネットワーク選択情報が更新された第1のネットワーク選択情報を含む、ようにさらに構成される。
【０１３６】
処理部620は、更新された第1のネットワーク選択情報と対応関係とに基づいて、少なくとも1つのPLMNに対応するターゲットネットワークスライス選択支援情報を決定するように構成される。
【０１３７】
送受信部630は、端末デバイスに、少なくとも1つのPLMNの識別子情報と、少なくとも1つのPLMNに対応するターゲットネットワークスライス選択支援情報とを送信するように構成される。
【０１３８】
任意選択の実施形態では、少なくとも1つのPLMNは、端末デバイスによって現在アクセスされているPLMNおよび／または端末デバイスによって代替的にアクセスされるPLMNを含む。
【０１３９】
任意選択の実施形態では、送受信部630は、端末デバイスに第1の指示情報を送信するようにさらに構成され、第1の指示情報は、端末デバイスに、少なくとも1つのPLMNの識別子情報とターゲットネットワークスライス選択支援情報とを格納するよう命令するために使用される。
【０１４０】
任意選択の実施形態では、装置600は、アクセスおよびモビリティ管理機能AMFデバイスである。処理部620は、端末デバイスによって送信された非アクセス層要求メッセージを受信すると、更新された第1のネットワーク選択情報と対応関係とに基づいて、少なくとも1つのPLMNに対応するターゲットネットワークスライス選択支援情報を決定するように特に構成される。送受信部630は、非アクセス層要求メッセージの応答メッセージを使用して端末デバイスに、少なくとも1つのPLMNの識別子情報とターゲットネットワークスライス選択支援情報とを送信するように特に構成される。
【０１４１】
任意選択の実施形態では、本装置はAMFデバイスである。取得部610は、加入データベースによって送信された端末デバイスの更新された第1のネットワーク選択情報を受信し、ポリシー制御機能PCFデバイスまたは加入データベースによって送信された少なくとも1つのPLMNにおけるネットワークスライス選択支援情報とネットワーク選択情報との対応関係と、少なくとも1つのPLMNの識別子情報とを受信する、ように特に構成される。
【０１４２】
任意選択の実施形態では、装置600はPCFデバイスである。取得部610は、AMFデバイスを使用して加入データベースによって送信された端末デバイスの更新された第1のネットワーク選択情報を受信し、PCFデバイスが属するPLMNおよび／またはローミング契約に基づいて少なくとも1つのPLMNの識別子情報を取得し、PCFデバイスに格納された対応関係を取得する、ようにさらに特に構成される。送受信部630は、AMFデバイスを使用して端末デバイスに、少なくとも1つのPLMNの識別子情報と、少なくとも1つのPLMNに対応するターゲットネットワークスライス選択支援情報とを送信するようにさらに特に構成される。
【０１４３】
任意選択の実施形態では、装置600は加入データベースである。取得部610は、装置600に格納された端末デバイスの更新された第1のネットワーク選択情報を取得し、PCFデバイスによって送信された対応関係と少なくとも1つのPLMNの識別子情報とを受信する、ようにさらに特に構成される。送受信部620は、AMFデバイスを使用して端末デバイスに、少なくとも1つのPLMNの識別子情報と、少なくとも1つのPLMNに対応するターゲットネットワークスライス選択支援情報とを送信するようにさらに特に構成される。
【０１４４】
任意選択の実施形態では、少なくとも1つのPLMNにおけるネットワークスライス選択支援情報は、スライスタイプ情報、端末デバイスが現在アクセスする必要がある装置の識別子情報、または端末デバイスが現在アクセスする必要がある装置のタイプ情報を含む。
【０１４５】
任意選択の実施形態では、少なくとも1つのPLMNにおけるネットワーク選択情報は、端末デバイスの通信機能情報または端末デバイスの通信能力情報を含む。
【０１４６】
ここでの装置600は機能ユニットの形態で具体化されていることを理解されたい。ここでの「ユニット」という用語は、特定用途向け集積回路（application specific integrated circuit、ASIC）、電子回路、1つもしくは複数のソフトウェアもしくはファームウェアプログラムを実行するためのプロセッサ（共有プロセッサや、専用プロセッサや、グループプロセッサなど）、メモリ、マージ論理回路、および／または記載の機能をサポートする別の適切な構成要素を指し得る。任意選択の例では、装置600は具体的には、前述の実施形態におけるコアネットワークデバイスであってもよく、装置600は、前述の方法実施形態におけるコアネットワークデバイスに対応する手順および／またはステップを行うように構成され得ることを当業者は理解するであろう。反復を避けるために、ここでは詳細を繰り返さない。
【０１４７】
図7は、本出願の一実施形態による情報伝送装置700の概略的ブロック図である。本装置は、方法200から方法500の端末デバイスであり得る。図7に示されるように、装置700は、送受信部710と、取得部720と、処理部730とを含む。
【０１４８】
送受信部710は、コアネットワークデバイスによって送信された少なくとも1つの公衆陸上移動網PLMNの識別子情報と少なくとも1つのPLMNに対応するターゲットネットワークスライス選択支援情報とを受信するように構成され、少なくとも1つの公衆陸上移動網PLMNの識別子情報と少なくとも1つのPLMNに対応するターゲットネットワークスライス選択支援情報とは、第1のPLMNの識別子情報と第1のPLMNに対応する第1のネットワーク選択支援情報とを含む。
【０１４９】
取得部720は、第1のPLMNの識別子情報を取得するように構成される。
【０１５０】
処理部730は、第1のPLMNの識別子情報に基づいて第1のネットワーク選択支援情報を決定するように構成される。
【０１５１】
送受信部710はアクセス要求を開始するようにさらに構成され、アクセス要求メッセージが第1のネットワーク選択支援情報を搬送する。
【０１５２】
任意選択の実施形態では、少なくとも1つのPLMNは、装置によって現在アクセスされているPLMNおよび／または装置によって代替的にアクセスされるPLMNを含む。
【０１５３】
任意選択の実施形態では、第1のPLMNが代替的にアクセスされるPLMNである場合、取得部720は、装置700が第1のPLMNにアクセスするときに、コアネットワークデバイスによって送信された第1のPLMNの識別子情報を取得する、ように特に構成される。
【０１５４】
任意選択の実施形態では、第1のPLMNが現在アクセスされているPLMNである場合、取得部720は、装置700が第1のPLMNに以前にアクセスしたときに装置700によって取得された第1のPLMNの識別子情報を取得するようにさらに特に構成される。
【０１５５】
任意選択の実施形態では、送受信部710は、コアネットワークデバイスによって送信された少なくとも1つの公衆陸上移動網PLMNの識別子情報と少なくとも1つのPLMNに対応するターゲットネットワークスライス選択支援情報とを受信する前に、コアネットワークデバイスに非アクセス層要求メッセージを送信するようにさらに構成される。送受信部710は、非アクセス層要求メッセージの応答メッセージを使用して、コアネットワークデバイスによって送信された少なくとも1つのPLMNの識別子情報と少なくとも1つのPLMNに対応するターゲットネットワークスライス選択支援情報とを受信するようにさらに特に構成される。
【０１５６】
任意選択の実施形態では、送受信部710は、コアネットワークデバイスによって送信された第1の指示情報を受信するようにさらに構成され、第1の指示情報は、装置に、少なくとも1つのPLMNの識別子情報と少なくとも1つのPLMNに対応するターゲットネットワークスライス選択支援情報とを格納するよう命令するために使用される。
【０１５７】
任意選択の実施形態では、少なくとも1つのPLMNにおけるネットワークスライス選択支援情報は、スライスタイプ情報、装置が現在アクセスする必要があるコアネットワークデバイスの識別子情報、または装置が現在アクセスする必要があるコアネットワークデバイスのタイプ情報を含む。
【０１５８】
ここでの装置700は機能ユニットの形態で具体化されていることを理解されたい。ここでの「ユニット」という用語は、特定用途向け集積回路（application specific integrated circuit、ASIC）、電子回路、1つもしくは複数のソフトウェアもしくはファームウェアプログラムを実行するためのプロセッサ（共有プロセッサや、専用プロセッサや、グループプロセッサなど）、メモリ、マージ論理回路、および／または記載の機能をサポートする別の適切な構成要素を指し得る。任意選択の例では、装置700は具体的には、前述の実施形態における端末デバイスであってもよく、装置700は、前述の方法実施形態における端末デバイスに対応する手順および／またはステップを行うように構成され得ることを当業者は理解するであろう。反復を避けるために、ここでは詳細を繰り返さない。
【０１５９】
図8は、本出願の一実施形態による情報伝送システム800の概略図である。システム800は、装置600と装置700とを含む。
【０１６０】
装置600または装置700は方法実施形態におけるコアネットワークデバイスまたは端末デバイスに対応し、対応するユニットが対応するステップを行う。例えば、送信部は方法実施形態における送信ステップを行い、受信部は方法実施形態における受信ステップを行い、処理部は、送信ステップと受信ステップ以外の別のステップを行う。特定のユニットの機能については、対応する方法実施形態を参照されたい。詳細は繰り返さない。
【０１６１】
前述の解決策におけるコアネットワークデバイスと端末デバイスとは、前述の方法においてコアネットワークデバイスと端末デバイスとによって行われる対応するステップを実施する機能を有する。これらの機能は、ハードウェアによって実施され得るか、または対応するソフトウェアをハードウェアが実行することによって実施され得る。ハードウェアまたはソフトウェアは、前述の機能に対応する1つまたは複数のユニットを含む。例えば、方法実施形態における送信動作、受信動作、および関連する処理動作を別々に行うために、送信部が送信機で置き換えられてもよく、受信部が受信機で置き換えられてもよく、処理部などの別のモジュールがプロセッサで置き換えられてもよい。
【０１６２】
図9は、本出願の一実施形態による情報伝送装置900の概略的ブロック図である。例えば、本装置は、方法200から方法500のコアネットワークデバイスであり得る。図9に示されるように、装置900は、送受信機910と、プロセッサ920と、メモリ930とを含む。メモリ930は、命令を格納するように構成される。プロセッサ920は、メモリ930に格納された命令を実行して、信号の受信または信号の送信を行うよう送受信機910を制御するように構成される。
【０１６３】
送受信機910は、端末デバイスの更新された第1のネットワーク選択情報を取得するように構成される。送受信機910は、少なくとも1つの公衆陸上移動網PLMNの識別子情報と、少なくとも1つのPLMNにおけるネットワークスライス選択支援情報とネットワーク選択情報との対応関係とを取得するようにさらに構成され、少なくとも1つのPLMNにおけるネットワーク選択情報は更新された第1のネットワーク選択情報を含む。プロセッサ920は、更新された第1のネットワーク選択情報と対応関係とに基づいて、少なくとも1つのPLMNに対応するターゲットネットワークスライス選択支援情報を決定するように構成される。送受信機910は、端末デバイスに、少なくとも1つのPLMNの識別子情報と、少なくとも1つのPLMNに対応するターゲットネットワークスライス選択支援情報とを送信するように構成される。
【０１６４】
装置900は、方法200から方法500のコアネットワークデバイスに対応していてもよく、方法200から方法500のコアネットワーク管理の対応する機能を実施できることを理解されたい。簡潔にするために、ここでは詳細を繰り返さない。
【０１６５】
図10は、本出願の一実施形態による情報伝送装置1000の概略的ブロック図である。本装置は、方法200から方法500の端末デバイスであり得る。図10に示されるように、装置1000は、送受信機1010と、プロセッサ1020と、メモリ1030とを含む。メモリ1030は、命令を格納するように構成される。プロセッサ1020は、メモリ1030に格納された命令を実行して、信号の受信または信号の送信を行うよう送受信機1010を制御するように構成される。
【０１６６】
送受信機1010は、コアネットワークデバイスによって送信された少なくとも1つの公衆陸上移動網PLMNの識別子情報と少なくとも1つのPLMNに対応するターゲットネットワークスライス選択支援情報とを受信するように構成され、少なくとも1つの公衆陸上移動網PLMNの識別子情報と少なくとも1つのPLMNに対応するターゲットネットワークスライス選択支援情報とは、第1のPLMNの識別子情報と第1のPLMNに対応する第1のネットワーク選択支援情報とを含む。送受信機1010は、第1のPLMNの識別子情報を取得するように構成される。プロセッサ1020は、第1のPLMNの識別子情報に基づいて第1のネットワーク選択支援情報を決定するように構成される。送受信機1010はアクセス要求を開始するようにさらに構成され、アクセス要求メッセージが第1のネットワーク選択支援情報を搬送する。
【０１６７】
装置800は、方法200から方法500の端末デバイスに対応していてもよく、方法200から方法500の端末デバイスの対応する機能を実施できることを理解されたい。簡潔にするために、ここでは詳細を繰り返さない。
【０１６８】
本出願の実施形態では、プロセッサ920とプロセッサ1020とは各々中央処理装置（Central Processing Unit、CPU）であってもよいことを理解されたい。あるいは、プロセッサは、別の汎用プロセッサ、デジタル信号プロセッサ（DSP）、特定用途向け集積回路（ASIC）、フィールドプログラマブルゲートアレイ（FPGA）もしくは別のプログラマブル論理デバイス、ディスクリートゲートもしくはトランジスタロジックデバイス、ディスクリートハードウェアコンポーネントなどであってもよい。汎用プロセッサはマイクロプロセッサであってもよく、またはプロセッサは任意の従来のプロセッサなどであってもよい。
【０１６９】
本明細書で開示される実施形態に記載される例と組み合わせて、各ユニットおよびアルゴリズムステップを、電子ハードウェアによって、またはコンピュータソフトウェアと電子ハードウェアの組み合わせによって実現できることを、当業者は理解するであろう。機能が果たされるのがハードウェアを使用してかそれともソフトウェアを使用してかは、技術的解決策の特定の用途および設計上の制約条件に依存する。当業者であれば、記載される機能を特定の用途ごとに様々な方法を使用して実施し得るが、その実施態様は本出願の範囲を超えるものと見なされるべきではない。
【０１７０】
説明を簡便にするために、前述のシステム、装置、およびユニットの詳細な動作プロセスについては、前述の方法実施形態における対応するプロセスを参照できることを当業者は明確に理解することができ、ここでは詳細を繰り返さない。
【０１７１】
本出願で提供されるいくつかの実施形態においては、開示のシステム、装置、および方法が他のやり方で実現され得ることを理解されたい。例えば、記載の装置実施形態は単なる例にすぎない。例えば、ユニット分割は単なる論理的機能分割にすぎず、実際の実装に際しては他の分割であってもよい。例えば、複数のユニットまたはコンポーネントが組み合わされ、または統合されて別のシステムになる場合もあり、または一部の機能が無視されるか、もしくは実行されない場合もある。加えて、図示または記載の相互結合または直接結合または通信接続は、いくつかのインターフェースを使用して実現されてもよい。装置間またはユニット間の間接結合または通信接続は、電子的形態、機械的形態、または他の形態として実現されてもよい。
【０１７２】
別々の部品として記載されたユニットは物理的に分離している場合もそうではない場合もあり、ユニットとして図示された部品は物理的ユニットである場合もそうではない場合もあり、一箇所に位置する場合もあり、複数のネットワークユニット上に分散されている場合もある。ユニットの一部または全部が、各実施形態の解決策の目的を達成するための実際の要件に基づいて選択されてもよい。
【０１７３】
加えて、本出願の各実施形態における機能ユニットは1つの処理ユニットに統合されてもよく、各ユニットが物理的に独立して存在していてもよく、または2つ以上のユニットが1つのユニットへ統合される。
【０１７４】
各機能がソフトウェア機能ユニットの形態で実現され、独立した製品として販売または使用される場合、それらの機能はコンピュータ可読記憶媒体に格納され得る。そうした理解に基づき、本出願の技術的解決策は本質的に、または先行技術に寄与する部分が、または技術的解決策の一部がソフトウェア製品の形態で実現され得る。コンピュータソフトウェア製品は記憶媒体に格納され、（パーソナルコンピュータ、サーバ、ネットワークデバイスなどであり得る）コンピュータデバイスに、本出願の実施形態に記載の方法のステップの全部または一部を行うよう命令するためのいくつかの命令を含む。前述の記憶媒体は、USBフラッシュドライブ、リムーバブルハードディスク、読取り専用メモリ（read-only memory、ROM）、ランダムアクセスメモリ（random access memory、RAM）、磁気ディスク、または光ディスクなどの、プログラムコードを格納することができる任意の媒体を含む。
【０１７５】
以上の説明は、本出願の具体的な実施態様にすぎず、本出願の保護範囲を限定するためのものではない。本出願で開示された技術範囲内で当業者が容易に思いつく一切の変形または置換は、本出願の保護範囲内に含まれるものとする。したがって、本出願の保護範囲は、特許請求の保護範囲に従うべきものとする。
【符号の説明】
【０１７６】
110  第1の端末デバイス
120  第2の端末デバイス
130  アクセスネットワークデバイス
140  第1のコアネットワークデバイス
150  第2のコアネットワークデバイス
600  情報伝送装置
610  取得部
620  処理部
630  送受信部
700  情報伝送装置
710  送受信部
720  取得部
730  処理部
800  情報伝送システム
900  情報伝送装置
910  送受信機
920  プロセッサ
930  メモリ
1000  情報伝送装置
1010  送受信機
1020  プロセッサ
1030  メモリ
【図１】
0006925505.tif 000006
【図２】
0006925505.tif 000007
【図３】
0006925505.tif 000008
【図４】
0006925505.tif 000009
【図５】
0006925505.tif 000010
【図６】
0006925505.tif 000011
【図７】
0006925505.tif 000012
【図８】
0006925505.tif 000013
【図９】
0006925505.tif 000014
【図１０】
0006925505.tif 000015